(57)【要約】【課題】斬新な遊技興趣を提供すること。【解決手段】パチンコ遊技機ＰＹ１は、第１始動口１１又は第２始動口１２への入球に基づいて第１特別図柄を変動表示させることが可能であり、第３始動口２０への入球に基づいて第２特別図柄を変動表示させることが可能である。高確時短状態において第２始動口１２への入球に基づいて大当たりと判定された場合と、当該高確時短状態にて時短回数の消化によって高確非時短状態に移行した後に第３始動口２０への入球に基づいて大当たりと判定された場合とでは、遊技者にとっての有利さが異なる（高確率状態への移行確率が異なる）。【選択図】図１３
2020092799.tif 000002
【特許請求の範囲】
【請求項１】
所定の判定条件の成立に基づいて判定処理を行うと、当該判定処理の結果を示す識別図柄を変動表示させることが可能な遊技制御手段を備える遊技機において、
前記遊技制御手段は、
非時短状態よりも前記識別図柄の変動表示の時間が短くなり易い時短状態に制御可能であり、
前記時短状態に制御されてから前記識別図柄の変動表示の回数が所定の上限回数に達すると、前記非時短状態に制御可能であり、
前記時短状態にて前記判定処理で大当たりと判定された場合と、前記識別図柄の変動表示の回数が所定の上限回数に達することにより前記非時短状態に移行した後に前記判定処理で大当たりと判定された場合とでは、遊技者にとっての有利さが異なることを特徴とする遊技機。
【発明の詳細な説明】
【技術分野】
【０００１】
本発明は、パチンコ遊技機等に代表される遊技機に関する。
【背景技術】
【０００２】
従来よりパチンコ遊技機には、始動口（入球口）への遊技球の入球に基づいて大当たりであるかの判定処理を実行し、当該判定処理の結果を示す特別図柄（識別図柄）を変更表示させることが可能な遊技制御用マイコン（遊技制御手段）を備えるものがある。例えば下記特許文献１に記載の遊技機において、大当たり遊技後に特別図柄の変動表示の時間が短くなり易い時短状態に制御可能であり、時短状態に制御されてから特別図柄の変動表示の回数が所定の上限回数に達することにより非時短状態に制御されるようになっている。
【先行技術文献】
【特許文献】
【０００３】
【特許文献１】特開２０１６−０１６０３４号公報
【発明の概要】
【発明が解決しようとする課題】
【０００４】
ところで、上記特許文献１に記載の遊技機では、時短状態にて判定処理で大当たりになった方が、非時短状態にて判定処理で大当たりになる場合よりも、遊技者にとって有利になり易いようなゲーム性になっている。従って遊技者には、時短状態にて識別図柄（特別図柄）の変動表示の回数が所定の上限回数に達する前に、大当たりへの当選を期待させることになる。しかしながら、時短状態では識別図柄の変動表示が実行される度に遊技者に焦燥感を与えることになり、このようなゲーム性には改善の余地があった。
【０００５】
本発明は上記事情に鑑みてなされたものである。すなわちその課題とするところは、斬新な遊技興趣を提供することが可能な遊技機を提供することにある。
【課題を解決するための手段】
【０００６】
本発明の遊技機は、
所定の判定条件の成立に基づいて判定処理を行うと、当該判定処理の結果を示す識別図柄を変動表示させることが可能な遊技制御手段を備える遊技機において、
前記遊技制御手段は、
非時短状態よりも前記識別図柄の変動表示の時間が短くなり易い時短状態に制御可能であり、
前記時短状態に制御されてから前記識別図柄の変動表示の回数が所定の上限回数に達すると、前記非時短状態に制御可能であり、
前記時短状態にて前記判定処理で大当たりと判定された場合と、前記識別図柄の変動表示の回数が所定の上限回数に達することにより前記非時短状態に移行した後に前記判定処理で大当たりと判定された場合とでは、遊技者にとっての有利さが異なることを特徴とする遊技機である。
【発明の効果】
【０００７】
本発明の遊技機によれば、斬新な遊技興趣を提供することが可能である。
【図面の簡単な説明】
【０００８】
【図１】本発明の実施形態に係る遊技機の正面図である。
【図２】同遊技機が備える遊技盤の正面図である。
【図３】（Ａ）は電チューの開閉部材が開状態であるときの遊技球の流れを示す図であり、（Ｂ）は電チューの開閉部材が閉状態であるときの遊技球の流れを示す図である。
【図４】（Ａ）は振分部材が第１状態であるときの遊技球の流れを示す図であり、（Ｂ）は振分部材が第２状態であるときの遊技球の流れを示す図である。
【図５】図２に示すＡ部分の拡大図であり、同遊技機が備える表示器類を示す図である。
【図６】同遊技機の遊技制御基板側の電気的な構成を示すブロック図である。
【図７】同遊技機の演出制御基板側の電気的な構成を示すブロック図である。
【図８】当たり種別判定テーブルである。
【図９】遊技制御用マイコンが取得する各種乱数を示す表である。
【図１０】（Ａ）は大当たり判定テーブルであり、（Ｂ）はリーチ判定テーブルであり、（Ｃ）は普通図柄当たり判定テーブルであり、（Ｄ）は普通図柄変動パターン選択テーブルである。
【図１１】特図変動パターン判定テーブルである。
【図１２】電チューの開放パターン決定テーブルである。
【図１３】遊技の流れを説明するための図である。
【図１４】各演出モードでの背景画像を示す図である。
【図１５】演出例を説明するための図である。
【図１６】主制御メイン処理のフローチャートである。
【図１７】メイン側タイマ割り込み処理のフローチャートである。
【図１８】センサ検出処理のフローチャートである。
【図１９】普通動作処理のフローチャートである。
【図２０】第１特別動作処理のフローチャートである。
【図２１】第２特別動作処理のフローチャートである。
【図２２】第１特別図柄待機処理のフローチャートである。
【図２３】特図１大当たり判定処理のフローチャートである。
【図２４】特図１変動パターン選択処理のフローチャートである。
【図２５】特図１変動パターン選択処理のフローチャートである。
【図２６】第２特別図柄待機処理のフローチャートである。
【図２７】特図２大当たり判定処理のフローチャートである。
【図２８】特図２変動パターン選択処理のフローチャートである。
【図２９】特図２変動パターン選択処理のフローチャートである。
【図３０】特図２変動パターン選択処理のフローチャートである。
【図３１】遊技状態管理処理のフローチャートである。
【図３２】第１特別図柄変動中処理のフローチャートである。
【図３３】第２特別図柄変動中処理のフローチャートである。
【図３４】第１特別図柄確定処理のフローチャートである。
【図３５】特図２強制停止処理のフローチャートである。
【図３６】遊技状態リセット処理のフローチャートである。
【図３７】第２特別図柄確定処理のフローチャートである。
【図３８】特図１強制停止処理のフローチャートである。
【図３９】特別電動役物処理１（大当たり遊技）のフローチャートである。
【図４０】遊技状態設定処理のフローチャートである。
【図４１】特別電動役物処理２（小当たり遊技）のフローチャートである。
【図４２】特定領域センサ検出処理のフローチャートである。
【図４３】サブ制御メイン処理のフローチャートである。
【図４４】受信割り込み処理のフローチャートである。
【図４５】１ｍｓタイマ割り込み処理のフローチャートである。
【図４６】１０ｍｓタイマ割り込み処理のフローチャートである。
【図４７】受信コマンド解析処理のフローチャートである。
【図４８】変動演出開始処理のフローチャートである。
【図４９】第２形態に係る当たり種別判定テーブルである。
【発明を実施するための形態】
【０００９】
１．遊技機の構成
本発明の実施形態であるパチンコ遊技機について、図面に基づいて説明する。なお、以下の説明において遊技機の一例としてのパチンコ遊技機の各部の左右方向は、そのパチンコ遊技機に対面する遊技者にとっての左右方向に一致させて説明する。また、パチンコ遊技機の各部の前方向をパチンコ遊技機に対面する遊技者に近づく方向とし、パチンコ遊技機の各部の後方向をパチンコ遊技機に対面する遊技者から離れる方向として、説明する。
【００１０】
図１に示すように、実施形態のパチンコ遊技機ＰＹ１は、遊技機枠２と、遊技機枠２内に取り付けられた遊技盤１（図２参照）とを備えている。遊技機枠２は、パチンコ遊技機ＰＹ１の外郭を形成するものであり、外側に配されている外枠２２と、外枠２２の内側に組付けられる内枠２１と、外枠２２及び内枠２１の前面側に配されている前扉２３（前枠）とを備えている。前扉２３は、遊技盤１を保護する縦長方形状のものであり、外枠２２及び内枠２１に対して回動自在になっている。前扉２３の中央部には、遊技者が後述する遊技領域６を視認できるように、透明のガラス板２３ｔ（窓部）が取付けられている。
【００１１】
前扉２３には、回転角度に応じた発射強度で遊技球を発射させるためのハンドル７２ｋ（遊技球打込手段）、遊技球を貯留する打球供給皿（上皿）３４、及び打球供給皿３４に収容しきれない遊技球を貯留する余剰球受皿（下皿）３５が設けられている。また前扉２３には、遊技の進行に伴って実行される演出時などに遊技者が操作し得る演出ボタン４０ｋ及びセレクトボタン４２ｋが設けられている。なおセレクトボタン（十字キー）４２ｋは、上方向ボタンと下方向ボタンと左方向ボタンと右方向ボタンとによって構成されている。また前扉２３には、装飾用の枠ランプ２１２及び音を出力するスピーカ（図１において不図示）が設けられている。
【００１２】
図２に示すように、遊技盤１には、ハンドル７２ｋの操作により発射された遊技球が流下する遊技領域６が、レール部材６２で囲まれて形成されている。また遊技盤１には、装飾用の盤ランプ５４が多数設けられている。なお遊技盤１は、前側に配されている板状部材と、後側に配されている裏ユニット（後述する各種制御基板、画像表示装置５０、ハーネス等を取付けるユニット）とが一体化されたものである。
【００１３】
遊技領域６には、遊技球を誘導する複数の遊技くぎが突設されている。また遊技領域６の中央付近には、液晶表示装置である画像表示装置５０（演出表示手段）が配されている。なお画像表示装置は、有機ＥＬ表示装置などの他の画像表示装置であってもよい。画像表示装置５０の表示画面５０ａ（表示部）には、後述の第１特別図柄および第２特別図柄の可変表示（変動表示）に同期した演出図柄（装飾図柄）ＥＺの可変表示（変動表示）を行う演出図柄表示領域がある。なお、演出図柄ＥＺを表示する演出を演出図柄変動演出という。演出図柄変動演出を「装飾図柄変動演出」や単に「変動演出」と称することもある。
【００１４】
演出図柄表示領域は、例えば「左」「中」「右」の３つの図柄表示エリアからなる。左の図柄表示エリアには左演出図柄ＥＺ１が表示され、中の図柄表示エリアには中演出図柄ＥＺ２が表示され、右の図柄表示エリアには右演出図柄ＥＺ３が表示される。演出図柄ＥＺはそれぞれ、例えば「１」〜「９」までの数字をあらわした複数の図柄からなる。画像表示装置５０は、左演出図柄ＥＺ１、中演出図柄ＥＺ２、右演出図柄ＥＺ３の組合せによって、後述の第１特図表示器８１ａおよび第２特図表示器８１ｂにて表示される第１特別図柄および第２特別図柄の可変表示の結果（つまりは大当たり抽選の結果）を、わかりやすく表示する。
【００１５】
例えば大当たりに当選した場合には「７７７」などのゾロ目で演出図柄ＥＺを停止表示する。また、はずれであった場合には「６３７」などのバラケ目で演出図柄ＥＺを停止表示する。これにより、遊技者による遊技の進行状況の把握が容易となる。つまり遊技者は、大当たり抽選の結果を第１特図表示器８１ａや第２特図表示器８１ｂにより把握するのではなく、画像表示装置５０にて把握する。なお、図柄表示エリアの位置は固定的でなくてもよい。また、演出図柄の変動表示の態様としては、例えば上下方向にスクロールする態様がある。
【００１６】
画像表示装置５０は、上記のような演出図柄ＥＺを用いた演出図柄変動演出のほか、大当たり遊技に並行して行われる大当たり演出や、客待ち用のデモ演出（客待ち演出）などを表示画面５０ａに表示する。なお演出図柄変動演出では、数字等の演出図柄ＥＺのほか、背景画像やキャラクタ画像などの演出図柄ＥＺ以外の演出画像も表示される。
【００１７】
また画像表示装置５０の表示画面５０ａには、後述する第１特図保留の記憶数に応じて第１保留アイコンＨＡ（演出保留画像）を表示する第１保留アイコン表示領域がある。第１保留アイコンＨＡの表示により、後述の第１特図保留表示器８３ａ（図４参照）にて表示される第１特図保留の記憶数を遊技者にわかりやすく示すことができる。また、後述する第２特図保留の記憶数に応じて第２保留アイコンＨＢ（演出保留画像）を表示する第２保留アイコン表示領域がある。第２保留アイコンＨＢの表示により、後述の第２特図保留表示器８３ｂ（図４参照）にて表示される第２特図保留の記憶数を遊技者にわかりやすく示すことができる。
【００１８】
遊技領域６の中央付近であって画像表示装置５０の前方には、センター枠６１（内側壁部）が配されている。センター枠６１の下部には、上面を転動する遊技球を、後述の第１始動口１１へと誘導可能なステージ部６１ｓが形成されている。またセンター枠６１の左部には、入口から遊技球を流入させ、出口からステージ部６１ｓへ遊技球を流出させるワープ部６１ｗが設けられている。またセンター枠６１の上部には、上下動可能な盤可動体５５ｋが設けられている。盤可動体５５ｋは、表示画面５０ａの上方の原点位置から表示画面５０ａの中央と前後方向に重なる演出位置に移動可能なものである。
【００１９】
遊技領域６における画像表示装置５０の下方で、左右方向の中央には、遊技球の入球し易さが常に変わらない第１始動口１１（入球口）を備える第１始動入賞装置１１Ｄが設けられている。第１始動口１１を、第１入球口や、固定入球口、第１始動入賞口、第１始動領域ともいう。また第１始動入賞装置１１Ｄを、第１入球手段や、固定入球手段、第１始動入賞装置ともいう。第１始動口１１への遊技球の入賞は、第１特別図柄の抽選（大当たり抽選、すなわち大当たり乱数等の取得と判定）の契機となっている。
【００２０】
また、遊技領域６における第１始動口１１の右上方には、大入賞口１４（特別入賞口）を備えた大入賞装置１４Ｄが設けられている。大入賞装置１４Ｄを、アタッカー（ＡＴ）や、特別入賞手段、特別可変入賞装置ともいう。大入賞装置１４Ｄは、開状態と閉状態とをとるＡＴ開閉部材１４ｋを備え、ＡＴ開閉部材１４ｋの作動により大入賞口１４を開閉するものである。ＡＴ開閉部材１４ｋは、大入賞口ソレノイド１４ｓ（図６参照）により駆動される。大入賞口１４は、ＡＴ開閉部材１４ｋが開状態であるときだけ遊技球が入球可能となる。この大入賞口１４は、後述する大当たり遊技の実行中又は小当たり遊技の実行中に開放する。
【００２１】
また、遊技領域６における大入賞装置１４Ｄの右上方には、遊技球の入球し易さが変化可能な第２始動口１２（第１入球口）を備える第２始動入賞装置（普通電動役物いわゆる電チュー）１２Ｄが設けられている。第２始動口１２を、可変入球口ともいう。また電チュー１２Ｄを、可変入球手段ともいう。第２始動口１２（入球口））への遊技球の入賞は、第１特別図柄の抽選（大当たり抽選、すなわち大当たり乱数等の取得と判定）の契機となっている。電チュー１２Ｄは、前後方向に移動（進退）可能であって開状態と閉状態とをとる電チュー開閉部材１２ｋ（開閉部材）を備え、電チュー開閉部材１２ｋの作動によって第２始動口１２を開閉するものである。
【００２２】
電チュー開閉部材１２ｋ（開閉部材）は、後述の電チューソレノイド１２ｓにより駆動される。電チュー開閉部材１２ｋが開状態にあるときには、後方側に退避していて、第２始動口１２への遊技球の入球が可能になる。一方、電チュー開閉部材１２ｋが閉状態にあるときには、前方側に進出していて、第２始動口１２への遊技球の入球が不可能になる。こうして、第２始動口１２は、遊技球の入球し易さが変化可能な始動口である。なお、電チューは、電チュー開閉部材が開状態にあるときの方が閉状態にあるときよりも第２始動口への入球を容易にするものであれば、閉状態にあるときに第２始動口への入球を不可能とするものでなくてもよい。また電チューは、前後方向に移動（進退）可能な開閉部材を有するものに限られず、回動可能な開閉部材や、左右方向に移動可能な開閉部材を有するものであっても良い。
【００２３】
また、遊技領域６における電チュー１２Ｄの上方には、遊技球が通過可能なゲート１３が設けられている。ゲート１３を、通過口や通過領域ともいう。ゲート１３への遊技球の通過は、電チュー１２Ｄを開放するか否かを決める普通図柄抽選（すなわち普通図柄乱数（当たり乱数）の取得と判定）の実行契機となっている。さらに遊技領域６の下部には、複数の一般入賞口１０が設けられている。また遊技領域６の最下部には、遊技領域６へ打ち込まれたもののいずれの入賞口にも入賞しなかった遊技球を遊技領域６外へ排出するアウト口１９が設けられている。
【００２４】
また本形態では、遊技領域６における大入賞装置１４Ｄの左下方で、遊技球の入球し易さが常に変わらない第３始動口２０（第２入球口）を備える第３始動入賞装置２０Ｄが設けられている。第３始動口２０を、固定入球口ともいう。また第３始動入賞装置２０Ｄを、固定入球手段ともいう。第３始動口２０への遊技球の入賞は、第２特別図柄の抽選（大当たり抽選、すなわち大当たり乱数等の取得と判定）の契機となっている。
【００２５】
このように各種の入賞口等が配されている遊技領域６には、左右方向の中央より左側の左遊技領域６Ｌ（第１遊技領域）と、右側の右遊技領域６Ｒ（第２遊技領域）とがある。左遊技領域６Ｌを遊技球が流下するように遊技球を発射する打方を、左打ちという。一方、右遊技領域６Ｒを遊技球が流下するように遊技球を発射する打方を、右打ちという。本形態のパチンコ遊技機ＰＹ１では、左打ちにて遊技したときに遊技球が流下する流路を、第１流路Ｒ１といい、右打ちにて遊技したときに遊技球が流下する流路を、第２流路Ｒ２という。
【００２６】
第１流路Ｒ１上には、第１始動口１１と、一般入賞口１０と、アウト口１９が配されている。遊技者は第１流路Ｒ１を流下するように遊技球を打込むことで、第１始動口１１や一般入賞口１０への入賞を狙うことができる。なお、第１流路Ｒ１上にゲート１３は配されていない。よって、左打ちをしている場合に電チュー１２Ｄが開放されることはない。
【００２７】
一方、第２流路Ｒ２（特定流路）上には、ゲート１３と、大入賞口１４（大入賞装置１４Ｄ）と、第２始動口１２（第１入球口）と、第３始動口２０（第２入球口）と、一般入賞口１０と、アウト口１９とが配されている。遊技者は第２流路Ｒ２を流下するように遊技球を打込むことで、ゲート１３への通過や、第２始動口１２（電チュー１２Ｄ）、大入賞口１４、第３始動口２０、一般入賞口１０への入賞を狙うことができる。
【００２８】
ここで、図３に基づいて、電チュー開閉部材１２ｋが開状態であるときの遊技球の流れと、電チュー開閉部材１２ｋが閉状態であるときの遊技球の流れについて説明する。なお本形態では、右打ちによって右遊技領域６Ｒに向けて打込まれた遊技球は、図２に示すように、ほぼゲート１３を通過して、電チュー開閉部材１２ｋの上方に到達するようになっている。
【００２９】
図３（Ａ）に示すように、電チュー開閉部材１２ｋが開状態であるときには、電チュー開閉部材１２ｋの上方に到達した遊技球は、電チュー開閉部材１２ｋが後方に退避しているため、第２始動口１２にそのまま入球する。つまり、電チュー１２Ｄよりも左方に配されている大入賞口１４及び第３始動口２０（図２参照）の方に向かうことがない。よって、後述する電サポ制御状態（電サポ制御状態を伴う高確時短状態）では、右打ちされた遊技球は、電チュー開閉部材１２ｋが頻繁に開放していることで、ほぼ第２始動口１２に入球して、第３始動口２０に入球することがほぼない。更に後述するように、電チュー１２Ｄ（第２始動口１２）への入球に基づく特図１の抽選では、小当たりに当選することがないため（図１０（Ａ）参照）、電サポ制御状態を伴う高確時短状態では大入賞口１４に入球することはほぼない。
【００３０】
一方、図３（Ｂ）に示すように、電チュー開閉部材１２ｋが閉状態であるときには、電チュー開閉部材１２ｋの上方に到達した遊技球は、電チュー開閉部材１２ｋが前方に進出しているため、電チュー開閉部材１２ｋに当接した後に左方へ流下する。これにより、左方に流下した遊技球は、大入賞口１４の方に向かうと共に、第３始動口２０（図２参照）の方に向かう。よって、後述する非電サポ制御状態（電サポ制御状態を伴わない高確非時短状態）では、右打ちされた遊技球は、電チュー開閉部材１２ｋが閉鎖していることで、第３始動口２０に入球することが可能である。更に後述するように、第３始動口２０への入球に基づく特図２の抽選では、小当たりに頻繁に当選するため（図１０（Ａ）参照）、電サポ制御状態を伴わない高確非時短状態では大入賞口１４に入球することが可能である。
【００３１】
続いて、図４に基づいて、大入賞口１４に入球した遊技球の流れについて説明する。図４（Ａ）（Ｂ）に示すように、大入賞装置１４Ｄの内部には、大入賞口１４を通過した遊技球が通過可能な特定領域（Ｖ領域）１６および非特定領域１７が形成されている。なお、大入賞装置１４Ｄにおいて、特定領域１６および非特定領域１７の上流には、大入賞口１４への遊技球の入賞を検知する大入賞口センサ１４ａが配されている。また、特定領域１６には、特定領域１６への遊技球の通過を検知する特定領域センサ１６ａが配されている。また、非特定領域１７には、非特定領域１７への遊技球の通過を検知する非特定領域センサ１７ａが配されている。大入賞装置１４Ｄは、大入賞口１４を通過した遊技球を特定領域１６または非特定領域１７のいずれかに振り分ける振分部材１６ｋと、振分部材１６ｋを駆動する振分ソレノイド１６ｓ（図４（Ａ）（Ｂ）では図示省略））とを備えている。
【００３２】
図４（Ａ）は、振分ソレノイド１６ｓの通電時を示している。図４（Ａ）に示すように、振分ソレノイド１６ｓの通電時には、振分部材１６ｋは特定領域１６への遊技球の通過を許容する第１状態（通過許容状態）にある。振分部材１６ｋが第１状態にあるときは、大入賞口１４に入賞した遊技球は、大入賞口センサ１４ａを通過したあと特定領域１６を通過する。この遊技球のルートを第１のルートという。
【００３３】
図４（Ｂ）は、振分ソレノイド１６ｓの非通電時を示している。図４（Ｂ）に示すように、振分ソレノイド１６ｓの通電時には、振分部材１６ｋの特定領域１６への遊技球の通過を妨げる第２状態（通過阻止状態）にある。振分部材１６ｋが第２状態にあるときは、大入賞口１４に入賞した遊技球は、大入賞口センサ１４ａを通過したあと非特定領域７０を通過する。この遊技球のルートを第２のルートという。
【００３４】
なお本パチンコ遊技機１では、特定領域１６への遊技球の通過が後述の高確率状態への移行の契機となっている。つまり特定領域１６は、確変作動口となっている。これに対して非特定領域１７は、確変作動口ではない。
【００３５】
図２に示す遊技盤１の説明に戻る。図２に示すように、遊技盤１の右下部には表示器類８が配置されている。表示器類８には、図５に示すように、第１特別図柄を可変表示する第１特図表示器８１ａ、第２特別図柄を可変表示する第２特図表示器８１ｂ、及び、普通図柄を可変表示する普図表示器８２が含まれている。第１特別図柄を、第１特図又は特図１ともいい、第２特別図柄を第２特図又は特図２ともいい、第１特別図柄と第２特別図柄とをまとめて「特別図柄（識別図柄）」ともいう。また、普通図柄を普図ともいう。
【００３６】
また表示器類８には、第１特図表示器８１ａの作動保留（第１特図保留）の記憶数を表示する第１特図保留表示器８３ａ、第２特図表示器８１ｂの作動保留（第２特図保留）の記憶数を表示する第２特図保留表示器８３ｂ、および普図表示器８２の作動保留（普図保留）の記憶数を表示する普図保留表示器８４が含まれている。
【００３７】
第１特別図柄の可変表示は、第１始動口１１又は第２始動口１２への遊技球の入賞を契機として行われる。第２特別図柄の可変表示は、第３始動口２０への遊技球の入賞を契機として行われる。なお以下の説明では、第１特別図柄および第２特別図柄を総称して特別図柄（特図）ということがある。また、第１特図表示器８１ａおよび第２特図表示器８１ｂを総称して特図表示器８１ということがある。また、第１特図保留表示器８３ａおよび第２特図保留表示器８３ｂを総称して特図保留表示器８３ということがある。また第１特図保留および第２特図保留を総称して特図保留ということがある。
【００３８】
特図表示器８１では、特別図柄を可変表示（変動表示）したあと停止表示することにより、第１始動口１１又は第２始動口１２或いは第３始動口２０への入賞に基づく抽選（特別図柄抽選、大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた大当たり図柄（特定の停止態様の特別図柄）である場合には、停止表示された大当たり図柄の種類（つまり当選した大当たりの種類）に応じた開放パターンにて大入賞口１４を開放させる大当たり遊技（特別遊技の一例）が行われる。また、停止図柄が予め定めた小当たり図柄（特定の停止態様の特別図柄）である場合には、停止表示された小当たり図柄に応じた開放パターンにて大入賞口１４を開放させる小当たり遊技（特別遊技の一例）が行われる。大当たり遊技における大入賞口１４の開放パターンと、小当たり遊技における大入賞口１４の開放パターンについては後述する。
【００３９】
具体的には特図表示器８１は、例えば横並びに配された８個のＬＥＤ（Ｌｉｇｈｔ  Ｅｍｉｔｔｉｎｇ  Ｄｉｏｄｅ）から構成されており、その点灯態様によって大当たり抽選の結果に応じた特別図柄（識別図柄）を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、小当たりに当選した場合には、「○●●○○●●●」というように左から１，４，５番目にあるＬＥＤが点灯した小当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。なおハズレ図柄は、特定特別図柄ではない。また、特別図柄が停止表示される前には所定の変動時間にわたって特別図柄の変動表示がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００４０】
本パチンコ遊技機ＰＹ１では、第１始動口１１又は第２始動口１２或いは第３始動口２０への遊技球の入賞（入球）があると、その入賞に対して取得した大当たり乱数等の各種乱数の値（数値情報、判定用情報）は、後述の特図保留記憶部１０５に一旦記憶される。詳細には、第１始動口１１又は第２始動口１２への入賞であれば第１特図保留として、後述の第１特図保留記憶部１０５ａに記憶され、第３始動口２０への入賞であれば第２特図保留として、後述の第２特図保留記憶部１０５ｂに記憶される。各々の特図保留記憶部１０５に記憶可能な特図保留の数には上限があり、本形態における上限値はそれぞれ「４」となっている。
【００４１】
特図保留記憶部１０５に記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機ＰＹ１では、第１始動口１１又は第２始動口１２或いは第３始動口２０への遊技球の入賞に基づく特別図柄の可変表示がその入賞後にすぐに行えない場合、すなわち、大当たり遊技又は小当たり遊技の実行中に入賞があった場合であっても、所定数を上限として、その入賞に対する大当たり抽選の権利を留保することができるようになっている。なお本形態では、第１特別図柄の変動表示中であっても第２特別図柄の変動表示を実行可能であり、第２特別図柄の変動表示中であっても第１特別図柄の変動表示を実行可能なパチンコ遊技機ＰＹ１（所謂「同時変動可能なパチンコ遊技機」）である。
【００４２】
特図保留の数は、特図保留表示器８３に表示される。具体的には特図保留表示器８３はそれぞれ、例えば４個のＬＥＤで構成されており、特図保留の数だけＬＥＤを点灯させることにより特図保留の数を表示する。
【００４３】
普通図柄の可変表示は、ゲート１３への遊技球の通過を契機として行われる。普図表示器８２では、普通図柄を可変表示（変動表示）したあと停止表示することにより、ゲート１３への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（所定の停止態様の普通図柄すなわち普通当たり図柄）である場合には、現在の遊技状態に応じた開放パターンにて第２始動口１２を開放させる補助遊技が行われる。なお、第２始動口１２の開放パターンについては後述する。
【００４４】
具体的には普図表示器８２は、例えば２個のＬＥＤから構成されており（図４参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。なお普通ハズレ図柄は、特定普通図柄ではない。普通図柄が停止表示される前には所定の変動時間にわたって普通図柄の変動表示がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００４５】
本パチンコ遊技機ＰＹ１では、ゲート１３への遊技球の通過があると、その通過に対して取得した普通図柄乱数（当たり乱数）の値は、後述の普図保留記憶部１０６に普図保留として一旦記憶される。普図保留記憶部１０６に記憶可能な普図保留の数には上限があり、本形態における上限値は「４」となっている。
【００４６】
普図保留記憶部１０６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って本パチンコ遊技機ＰＹ１では、ゲート１３への遊技球の通過に基づく普通図柄の可変表示がその通過後にすぐに行えない場合、すなわち普通図柄の可変表示の実行中や補助遊技の実行中に入賞があった場合であっても、所定数を上限として、その通過に対する普通図柄抽選の権利を留保することができるようになっている。
【００４７】
そしてこのような普図保留の数は、普図保留表示器８４に表示される。具体的には普図保留表示器８４は、例えば４個のＬＥＤで構成されており、普図保留の数だけＬＥＤを点灯させることにより普図保留の数を表示する。
【００４８】
２．遊技機の電気的構成
次に図６及び図７に基づいて、本パチンコ遊技機ＰＹ１における電気的な構成を説明する。図６及び図７に示すようにパチンコ遊技機ＰＹ１は、大当たり抽選や遊技状態の移行などの遊技利益に関する制御を行う遊技制御基板１００（主制御基板）、遊技の進行に伴って実行する演出に関する制御を行う演出制御基板１２０（サブ制御基板）、遊技球の払い出しに関する制御を行う払出制御基板１７０等を備えている。なお、遊技制御基板１００は、メイン制御部を構成し、演出制御基板１２０は、後述する画像制御基板１４０、音声制御基板１６１、及びサブドライブ基板１６２とともにサブ制御部を構成する。
【００４９】
なお、サブ制御部は、少なくとも演出制御基板１２０を備え、演出手段（画像表示装置５０やスピーカ６１０、盤ランプ５４、盤可動体５５ｋ、枠ランプ２１２等）を用いた遊技演出を制御可能であればよい。
【００５０】
またパチンコ遊技機ＰＹ１は、電源基板１９０を備えている。電源基板１９０は、遊技制御基板１００、演出制御基板１２０、及び払出制御基板１７０に対して電力を供給するとともに、これらの基板を介してその他の機器に対して必要な電力を供給する。電源基板１９０には、バックアップ電源回路１９２が設けられている。バックアップ電源回路１９２は、本パチンコ遊技機ＰＹ１に対して電力が供給されていない場合に、後述する遊技制御基板１００の遊技用ＲＡＭ（Random Access Memory）１０４や演出制御基板１２０の演出用ＲＡＭ１２４に対して電力を供給する。従って、遊技制御基板１００の遊技用ＲＡＭ１０４や演出制御基板１２０の演出用ＲＡＭ１２４に記憶されている情報は、パチンコ遊技機ＰＹ１の電断時であっても保持される。また電源基板１９０には、電源スイッチ１９１が接続されている。電源スイッチ１９１のＯＮ／ＯＦＦ操作により、電源の投入／遮断が切替えられる。なお、遊技制御基板１００の遊技用ＲＡＭ１０４に対するバックアップ電源回路を遊技制御基板１００に設けたり、演出制御基板１２０の演出用ＲＡＭ１２４に対するバックアップ電源回路を演出制御基板１２０に設けたりしてもよい。
【００５１】
図５に示すように、遊技制御基板１００には、プログラムに従ってパチンコ遊技機ＰＹ１の遊技の進行を制御する遊技制御用ワンチップマイコン（以下「遊技制御用マイコン」）１０１が実装されている。遊技制御用マイコン（遊技制御手段）１０１には、遊技の進行を制御するためのプログラム等を記憶した遊技用ＲＯＭ（Read Only Memory）１０３、ワークメモリとして使用される遊技用ＲＡＭ１０４、遊技用ＲＯＭ１０３に記憶されたプログラムを実行する遊技用ＣＰＵ（Central Processing Unit）１０２、データや信号の入出力を行うための遊技用Ｉ／Ｏ（Input/Output）ポート１１８が含まれている。遊技用ＲＡＭ１０４には、上述した特図保留記憶部１０５（第１特図保留記憶部１０５ａおよび第２特図保留記憶部１０５ｂ）と普図保留記憶部１０６が設けられている。なお、遊技用ＲＯＭ１０３は外付けであってもよい。
【００５２】
遊技制御基板１００には、中継基板１１０を介して各種センサやソレノイドが接続されている。そのため、遊技制御基板１００には各センサから信号が入力され、各ソレノイドには遊技制御基板１００から信号が出力される。具体的にはセンサ類としては、第１始動口センサ１１ａ、第２始動口センサ１２ａ、第３始動口センサ２０ａ、ゲートセンサ１３ａ、大入賞口センサ１４ａ、一般入賞口センサ１０ａ、特定領域センサ１６ａ、および非特定領域センサ１７ａが接続されている。
【００５３】
第１始動口センサ１１ａは、第１始動口１１内に設けられて、第１始動口１１に入賞した遊技球を検出するものである。第２始動口センサ１２ａは、第２始動口１２内に設けられて、第２始動口１２に入賞した遊技球を検出するものである。第３始動口センサ２０ａは、第３始動口２０内に設けられて、第３始動口２０に入賞した遊技球を検出するものである。ゲートセンサ１３ａは、ゲート１３内に設けられてゲート１３を通過した遊技球を検出するものである。大入賞口センサ１４ａは、大入賞口１４内に設けられて、大入賞口１４に入賞した遊技球を検出するものである。一般入賞口センサ１０ａは、各一般入賞口１０内に設けられて、一般入賞口１０に入賞した遊技球を検出するものである。特定領域センサ１６ａは、特定領域１６内に設けられて、特定領域１６を通過する遊技球を検出するものである。非特定領域センサ１７ａは、非特定領域１７内に設けられて、非特定領域１７を通過する遊技球を検出するものである。
【００５４】
またソレノイド類としては、電チューソレノイド１２ｓ、および大入賞口ソレノイド１４ｓが接続されている。電チューソレノイド１２ｓは、電チュー１２Ｄの電チュー開閉部材１２ｋを駆動するものである。大入賞口ソレノイド１４ｓは、大入賞装置１４ＤのＡＴ開閉部材１４ｋを駆動するものである。振分ソレノイド１６ｓは、大入賞装置１４Ｄの振分部材１６ｋを駆動するものである。
【００５５】
さらに遊技制御基板１００には、特図表示器８１（第１特図表示器８１ａおよび第２特図表示器８１ｂ）、普図表示器８２、特図保留表示器８３（第１特図保留表示器８３ａおよび第２特図保留表示器８３ｂ）、および普図保留表示器８４が接続されている。すなわち、これらの表示器類８の表示制御は、遊技制御用マイコン１０１によりなされる。
【００５６】
また遊技制御基板１００は、払出制御基板１７０に各種コマンドや信号を送信するとともに、払い出し監視のために払出制御基板１７０から信号を受信する。払出制御基板１７０には、カードユニットＣＵ（パチンコ遊技機ＰＹ１に隣接して設置され、挿入されているプリペイドカード等の情報に基づいて球貸しを可能にするもの）、および賞球払出装置７３が接続されているとともに、発射制御回路１７５を介して発射装置７２が接続されている。発射装置７２には、ハンドル７２ｋ（図１参照）が含まれる。
【００５７】
払出制御基板１７０は、遊技制御用マイコン１０１からの信号や、パチンコ遊技機ＰＹ１に接続されたカードユニットＣＵからの信号に基づいて、賞球払出装置７３の賞球モータ７３ｍを駆動して賞球の払い出しを行ったり、貸球の払い出しを行ったりする。払い出される賞球は、その計数のため賞球センサ７３ａにより検知されて、賞球センサ７３ａによる検知信号が払出制御基板１７０に出力される。
【００５８】
なお遊技者による発射装置７２のハンドル７２ｋ（図１参照）の操作があった場合には、タッチスイッチ７２ａがハンドル７２ｋへの接触を検知し、発射ボリューム７２ｂがハンドル７２ｋの回転量を検知する。そして、発射ボリューム７２ｂの検知信号の大きさに応じた強さで遊技球が発射されるよう発射ソレノイド７２ｓが駆動されることとなる。本パチンコ遊技機ＰＹ１においては、０．６秒程度で一発の遊技球が発射されるようになっている。
【００５９】
また遊技制御基板１００は、演出制御基板１２０に対し各種コマンドを送信する。遊技制御基板１００と演出制御基板１２０との接続は、遊技制御基板１００から演出制御基板１２０への信号の送信のみが可能な単方向通信接続となっている。すなわち、遊技制御基板１００と演出制御基板１２０との間には、通信方向規制手段としての図示しない単方向性回路（例えばダイオードを用いた回路）が介在している。
【００６０】
図７に示すように、演出制御基板１２０には、プログラムに従ってパチンコ遊技機ＰＹ１の演出を制御する演出制御用ワンチップマイコン（以下「演出制御用マイコン」）１２１が実装されている。演出制御用マイコン（演出制御手段）１２１には、遊技の進行に伴って演出を制御するためのプログラム等を記憶した演出用ＲＯＭ１２３、ワークメモリとして使用される演出用ＲＡＭ１２４、演出用ＲＯＭ１２３に記憶されたプログラムを実行する演出用ＣＰＵ１２２、データや信号の入出力を行うための演出用Ｉ／Ｏポート１３８が含まれている。なお、演出用ＲＯＭ１２３は外付けであってもよい。
【００６１】
また図６に示すように、演出制御基板１２０には、画像制御基板１４０、音声制御基板１６１（音声制御回路）、およびサブドライブ基板１６２が接続されている。サブドライブ基板１６２には、枠ランプ２１２、盤ランプ５４、盤可動体５５ｋが接続されている。
【００６２】
演出制御基板１２０の演出制御用マイコン１２１は、遊技制御基板１００から受信したコマンドに基づいて、画像制御基板１４０の画像用ＣＰＵ１４１に画像表示装置５０の制御を行わせる。画像制御基板１４０は、画像表示等の制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。なお、画像用ＲＯＭ１４２には、画像表示装置５０に表示される静止画データや動画データ、具体的にはキャラクタ、アイテム、図形、文字、数字および記号等（演出図柄を含む）や背景画像等の画像データが格納されている。
【００６３】
また演出制御用マイコン１２１は、遊技制御基板１００から受信したコマンドに基づいて、音声制御基板１６１を介してスピーカ６１０から音声、楽曲、効果音等を出力する。スピーカ６１０から出力する音声等の音響データは、演出制御基板１２０の演出用ＲＯＭ１２３に格納されている。なお、音声制御基板１６１にＣＰＵを実装してもよく、その場合、そのＣＰＵに音声制御を実行させてもよい。さらにこの場合、音声制御基板１６１にＲＯＭを実装してもよく、そのＲＯＭに音響データを格納してもよい。また、スピーカ６１０を画像制御基板１４０に接続し、画像制御基板１４０の画像用ＣＰＵ１４１に音声制御を実行させてもよい。さらにこの場合、画像制御基板１４０の画像用ＲＯＭ１４２に音響データを格納してもよい。
【００６４】
また演出制御用マイコン１２１は、遊技制御基板１００から受信したコマンドに基づいて、サブドライブ基板１６２を介して、枠ランプ２１２や盤ランプ５４等のランプの点灯制御を行う。詳細には演出制御用マイコン１２１は、各ランプ（ＬＥＤ）の発光態様を決める発光パターンデータ（点灯/消灯や発光色等を決めるデータ、ランプデータともいう）を作成し、発光パターンデータに従って各ランプ（ＬＥＤ）の発光を制御する。なお、発光パターンデータの作成には演出制御基板１２０の演出用ＲＯＭ１２３に格納されているデータを用いる。
【００６５】
さらに演出制御用マイコン１２１は、遊技制御基板１００から受信したコマンドに基づいて、サブドライブ基板１６２を介して盤可動体５５ｋの駆動制御を行う。詳細には演出制御用マイコン１２１は、盤可動体５５ｋの動作態様を決める動作パターンデータ（駆動データともいう）を作成し、動作パターンデータに従って盤可動体５５ｋを駆動させるためのモータの駆動制御を行う。動作パターンデータの作成には演出制御基板１２０の演出用ＲＯＭ１２３に格納されているデータを用いる。
【００６６】
また演出制御基板１２０には、演出ボタン検知センサ４０ａ及びセレクトボタン検知センサ４２ａが接続されている。演出ボタン検知センサ４０ａは、演出ボタン４０ｋ（図１参照）が押下操作されたことを検出するものである。演出ボタン４０ｋが押下操作されると演出ボタン検知センサ４０ａから演出制御基板１２０に対して検知信号が出力される。また、セレクトボタン検知センサ４２ａは、セレクトボタン４２ｋ（図１参照）が押下操作されたことを検出するものである。セレクトボタン４２ｋが押下操作されるとセレクトボタン検知センサ４２ａから演出制御基板１２０に対して検知信号が出力される。
【００６７】
なお図６及び図７は、あくまで本パチンコ遊技機ＰＹ１における電気的な構成を説明するための機能ブロック図であり、図５及び図６に示す基板だけが設けられているわけではない。遊技制御基板１００を除いて、図５又は図６に示す何れか複数の基板を１つの基板として構成しても良く、図５又は図６に示す１つの基板を複数の基板として構成しても良い。
【００６８】
３．大当たり等の説明
本形態のパチンコ遊技機ＰＹ１では、大当たり抽選（特別図柄抽選）の結果として、「大当たり（大当たり当選）」、「小当たり（小当たり当選）」、「ハズレ」がある。「大当たり」のときには、特図表示器８１に「大当たり図柄」が停止表示される。「小当たり」のときには、特図表示器８１に「小当たり図柄」が停止表示される。「ハズレ」であるときには、特図表示器８１に「ハズレ図柄」が停止表示される。但し本形態では、第２特別図柄の抽選がなされる場合に限って、第２特図表示器８１ｂに小当たり図柄が停止表示されることがあって、第１特別図柄の抽選がなされる場合には、第１特図表示器８１ａに小当たり図柄が停止表示されることはない。
【００６９】
特別図柄抽選にて大当たりに当選すると、停止表示された大当たり図柄の種別（大当たりの種別）に応じた開放パターンにて大入賞口１４を開放させる「大当たり遊技」が実行される。大当たり遊技は、本形態では、複数回のラウンド遊技（単位開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００７０】
また特別図柄抽選（第２特別図柄の抽選）にて小当たりに当選すると、所定の開放パターンにて大入賞口１４を開放させる「小当たり遊技」が実行される。小当たり遊技は、本形態では、大入賞口１４を開放する小当たり開放遊技と、小当たり開放遊技が開始される前のオープニング（開放前インターバル）と、小当たり開放遊技が終了した後のエンディング（閉鎖後インターバル）とを含んでいる。
【００７１】
大当たり（大当たり図柄）には、図８に示すように複数の種類がある。本形態では、大きく分けて２つの種類がある。「確変大当たり」と「通常大当たり」である。「確変大当たり」は、その大当たり遊技中に特定領域１６への遊技球の通過が容易に可能な通過開放パターン（Ｖロング開放パターン）でＡＴ開閉部材１４ｋを作動させる大当たりである。「通常大当たり」は、その大当たり遊技中に特定領域１６への遊技球の通過が不可能又は困難な非通過開放パターン（Ｖショート開放パターン）でＡＴ開閉部材１４ｋを作動させる大当たりである。
【００７２】
本形態のパチンコ遊技機ＰＹ１では、大当たり遊技中の特定領域１６への遊技球の通過に基づいて、その大当たり遊技の終了後の遊技状態を、後述の高確率状態に移行させる。従って、上記の確変大当たりに当選した場合には、大当たり遊技の実行中に特定領域１６へ遊技球を通過させることで、大当たり遊技後の遊技状態を高確率状態に移行させ得る。これに対して、通常大当たりに当選した場合には、その大当たり遊技の実行中に特定領域１６へ遊技球を通過させることができないため、その大当たり遊技後の遊技状態は、後述の通常確率状態（非高確率状態）となる。
【００７３】
そして、大当たりの種類（種別）に応じて、大当たり遊技後の遊技状態が後述する時短状態又は非時短状態に制御される。よって、大当たり遊技後の遊技状態が通常確率状態に制御される場合であっても時短状態に制御されることがあり、高確率状態に制御される場合であっても非時短状態に制御されることがある。なお、時短状態に制御されたときに時短回数が１００００回又は１００回或いは５０回に設定されることがある。時短回数（所定の上限回数）とは、時短状態における特別図柄の変動表示の上限実行回数のことである。
【００７４】
ここで本パチンコ遊技機１の遊技状態は、大きく分けて４つの遊技状態からなる。通常確率状態且つ非時短状態（以下「低確非時短状態」とも呼ぶ）と、高確率状態且つ時短状態（以下「高確時短状態」とも呼ぶ）と、高確率状態且つ非時短状態（以下「高確非時短状態」とも呼ぶ）と、通常確率状態且つ時短状態（以下「低確時短状態」とも呼ぶ）とがある。なお初期設定では、低確非時短状態（通常遊技状態）である。
【００７５】
第１特別図柄（特図１）の抽選で当選可能な大当たり（第１特図表示器８１ａに停止表示される大当たり図柄）の種別には、２種類ある。具体的には、「確変大当たり１」、又は「通常大当たり」がある。
【００７６】
図８に示すように、「確変大当たり１」は、１６Ｒ（ラウンド）大当たりであり、１〜９Ｒは大入賞口１４を最大２９．５秒にわたって開放し、１０Ｒから１６Ｒまでは大入賞口１４を１Ｒ当たり最大０．１秒にわたって開放する大当たりである。１Ｒ〜９Ｒでは、大入賞口１４の開放時間が２９．５秒と十分長くて、本形態では９Ｒ目に大入賞口１４内の特定領域１６への通過（Ｖ入賞）が容易にできるように振分部材１６ｋ（図４（Ａ）参照）の作動が制御されている。なお９Ｒ目以外ではＶ入賞できないように、振分部材１６ｋ（図４（Ｂ）参照）の作動が制御されている。
【００７７】
本形態では、「確変大当たり１」に当選して、Ｖ入賞の場合には、大当たり遊技後の遊技状態が高確時短状態に制御される。このときは、時短回数が１００回に設定される。但しイレギュラーな場合として、非Ｖ入賞の場合には、大当たり遊技後の遊技状態が低確時短状態に制御される。なお「確変大当たり１」に当選した場合には、第１特図表示器８１ａに「特図１＿確変図柄」が停止表示される。
【００７８】
また図８に示すように、「通常大当たり」は、１６Ｒ（ラウンド）大当たりであり、１〜８Ｒは大入賞口１４を最大２９．５秒にわたって開放し、９Ｒから１６Ｒまでは大入賞口１４を１Ｒ当たり最大０．１秒にわたって開放する大当たりである。従って、９Ｒから１６Ｒまでは、大入賞口１４の開放時間が極めて短いため賞球が見込めず、実質的なラウンド数は８Ｒになる。実質的なラウンド数とは、１ラウンド当たりの入賞上限個数（本形態では８個）まで遊技球が入賞可能なラウンド数のことである。通常大当たりにおける９Ｒ目では、大入賞口１４の開放タイミングと振分部材１６ｋの作動タイミング（第２状態（図４（Ｂ）参照）から第１状態（図４（Ａ）参照）に制御されるタイミング）との関係からも、特定領域１６に遊技球が通過することはほぼ不可能となっている。但し、イレギュラーな場合として、Ｖ入賞の場合には、大当たり遊技後の遊技状態が高確時短状態に制御される。なお「通常大当たり」に当選した場合には、第１特図表示器８１ａに「特図１＿通常図柄」が停止表示される。
【００７９】
以上、第１特別図柄の抽選で当選可能な大当たりの種類について説明したが、続いて、第２特別図柄（特図２）の抽選で当選可能な大当たり（第２特図表示器８１ｂに停止表示される大当たり図柄）の種別について説明する。特図２の抽選で当選可能な大当たりには、４種類ある。具体的には、「確変大当たり２」、「確変大当たり３」、「確変大当たり４」、「確変大当たり５」がある。つまり、特図２の抽選で当選した大当たりは、何れであっても大当たり遊技中に特定領域３９への遊技球の通過が容易な大当たりになる。
【００８０】
図８に示すように、「確変大当たり２」は、１６Ｒ大当たりであり、１Ｒ〜１６Ｒにわたって大入賞口１４を最大２９．５秒にわたって開放する大当たりである。上述したように９Ｒ目には、大入賞口１４内の特定領域１６への通過（Ｖ入賞）が容易にできるように振分部材１６ｋ（図４（Ａ）参照）の作動が制御されている。本形態では「確変大当たり２」に当選して、Ｖ入賞の場合には、大当たり遊技後の遊技状態が高確非時短状態に制御される。このときは、時短回数が設定されることはない。但しイレギュラーな場合として、非Ｖ入賞の場合には、大当たり遊技後の遊技状態が低確非時短状態に制御される。なお「確変大当たり２」に当選した場合には、第２特図表示器８１ｂに「特図２＿確変図柄１」が停止表示される。
【００８１】
また「確変大当たり３」は、１６Ｒ大当たりであり、１Ｒ〜１６Ｒにわたって大入賞口１４を最大２９．５秒にわたって開放する大当たりである。上述したように９Ｒ目には、大入賞口１４内の特定領域１６への通過（Ｖ入賞）が容易にできるように振分部材１６ｋ（図４（Ａ）参照）の作動が制御されている。本形態では「確変大当たり３」に当選して、Ｖ入賞の場合には、大当たり遊技後の遊技状態が高確時短状態に制御される。このときは、時短回数が５０回に設定される。但しイレギュラーな場合として、非Ｖ入賞の場合には、大当たり遊技後の遊技状態が低確時短状態に制御される。なお「確変大当たり３」に当選した場合には、第２特図表示器８１ｂに「特図２＿確変図柄２」が停止表示される。
【００８２】
また「確変大当たり４」は、１６Ｒ大当たりであり、１Ｒ〜１６Ｒにわたって大入賞口１４を最大２９．５秒にわたって開放する大当たりである。上述したように９Ｒ目には、大入賞口１４内の特定領域１６への通過（Ｖ入賞）が容易にできるように振分部材１６ｋ（図４（Ａ）参照）の作動が制御されている。本形態では「確変大当たり４」に当選して、Ｖ入賞の場合には、大当たり遊技後の遊技状態が高確時短状態に制御される。このときは、時短回数が１００回に設定される。但しイレギュラーな場合として、非Ｖ入賞の場合には、大当たり遊技後の遊技状態が低確時短状態に制御される。なお「確変大当たり４」に当選した場合には、第２特図表示器８１ｂに「特図２＿確変図柄３」が停止表示される。
【００８３】
また「確変大当たり５」は、１６Ｒ大当たりであり、１Ｒ〜１６Ｒにわたって大入賞口１４を最大２９．５秒にわたって開放する大当たりである。上述したように９Ｒ目には、大入賞口１４内の特定領域１６への通過（Ｖ入賞）が容易にできるように振分部材１６ｋ（図４（Ａ）参照）の作動が制御されている。本形態では「確変大当たり５」に当選して、Ｖ入賞の場合には、大当たり遊技後の遊技状態が高確時短状態に制御される。このときには、時短状態は、実質的に次の大当たりへの当選（大当たり遊技の開始）まで継続するようになっていて、時短回数が１００００回に設定されることになる。但しイレギュラーな場合として、非Ｖ入賞の場合には、大当たり遊技後の遊技状態が低確時短状態に制御される。なお「確変大当たり５」に当選した場合には、第２特図表示器８１ｂに「特図２＿確変図柄４」が停止表示される。
【００８４】
本形態では、大当たりに当選した場合の開放パターンは、図８に示す通りである。即ち、先ず、４．０秒だけオープニングが実行される。その後、大当たりの種類に応じて上述したようにＡＴ開閉部材１４ｋが開放する。最後に、１．５秒だけエンディングが実行される。
【００８５】
また図８に示すように、特図１の抽選における各大当たりの振分率では、確変大当たり１が５０％である一方、通常大当たりが５０％である。また特図２の抽選における各大当たりの振分率では、確変大当たり２：確変大当たり３：確変大当たり４：確変大当たり５＝１０％：２０％：３０％：４０％である。なお大当たり遊技の１ラウンド中、又は小当たり遊技中に、複数回大入賞口１４を開放させることがあってもよい。
【００８６】
また本形態では、上述したように、第２特別図柄の抽選に限って、小当たりに当選し得る。小当たりに当選した場合の開放パターンは、図８に示す通りである。即ち、まず０．００４秒だけオープニングが実行される。次に、大入賞口１４が１．６秒だけ１回開放する。最後に、０．３秒だけエンディングが実行される。第２特別図柄の抽選で小当たりに当選した場合には、第２特図表示器８１ｂに「特図２＿小当たり図柄」が停止表示される。なお小当たりに当選した場合には、大入賞口１４に入賞した遊技球が特定領域１６を通過しないように、振分部材１６ｋの作動が制御されている。つまり本形態では、小当たり遊技の実行中にＶ入賞することがないように設定されている。
【００８７】
ここで本パチンコ遊技機ＰＹ１では、大当たり又は小当たりであるかの抽選は「大当たり乱数」に基づいて行われ、当選した当たりの種別の抽選は「当たり種別乱数」に基づいて行われる。図９（Ａ）に示すように、大当たり乱数は０〜６５５３５までの範囲で値をとる。図９（Ｂ）に示すように、当たり種別乱数は、０〜９９までの範囲で値をとる。なお、第１始動口１１又は第２始動口１２或いは第３始動口２０への入賞に基づいて取得される乱数には、大当たり乱数および当たり種別乱数の他に、「リーチ乱数」および「変動パターン乱数」がある。
【００８８】
リーチ乱数は、大当たり判定の結果がはずれである場合に、その結果を示す演出図柄変動演出においてリーチを発生させるか否かを決める乱数である。リーチとは、複数の演出図柄ＥＺのうち変動表示されている演出図柄ＥＺが残り一つとなっている状態であって、変動表示されている演出図柄ＥＺがどの図柄で停止表示されるか次第で大当たり当選を示す演出図柄ＥＺの組み合わせとなる状態（例えば「７↓７」の状態）のことである。なお、リーチ状態において停止表示されている演出図柄ＥＺは、表示画面５０ａ内で多少揺れているように表示されていたり、拡大と縮小を繰り返すように表示されていたりしてもよい。このリーチ乱数は、０〜２５５までの範囲で値をとる。
【００８９】
また、変動パターン乱数は、特別図柄の変動時間を含む変動パターンを決めるための乱数である。変動パターン乱数は、０〜９９までの範囲で値をとる。また、ゲート１３への通過に基づいて取得される乱数には、図９（Ｂ）に示す普通図柄乱数（当たり乱数）がある。普通図柄乱数は、電チュー１２Ｄを開放させる補助遊技を行うか否かの抽選（普通図柄抽選）のための乱数である。普通図柄乱数は、０〜６５５３５までの範囲で値をとる。
【００９０】
４．遊技状態の説明
次に、本形態のパチンコ遊技機ＰＹ１の遊技状態に関して説明する。パチンコ遊技機ＰＹ１の特図表示器８１および普図表示器８２には、それぞれ、確率変動機能と変動時間短縮機能がある。特図表示器８１の確率変動機能が作動している状態を「高確率状態」といい、作動していない状態を「通常確率状態（非高確率状態、低確率状態）」という。高確率状態では、大当たり確率が通常確率状態よりも高くなっている。すなわち、大当たりと判定される大当たり乱数の値が通常確率状態で用いる大当たり判定テーブルよりも多い大当たり判定テーブルを用いて、大当たり判定を行う（図１０（Ａ）参照）。つまり、特図表示器８１の確率変動機能が作動すると、作動していないときに比して、特図表示器８１による特別図柄の可変表示の表示結果（すなわち停止図柄）が大当たり図柄となる確率が高くなる。
【００９１】
また、特図表示器８１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた特図変動パターンテーブルを用いて、変動パターンの判定を行う（図１１参照）。つまり、特図表示器８１の変動時間短縮機能が作動すると、作動していないときに比して、特別図柄の可変表示の変動時間として短い変動時間が選択されやすくなる。その結果、時短状態では、特図保留の消化のペースを早くして、始動口への有効な入賞（特図保留として記憶され得る入賞）が発生し易くなる。そのため、スムーズな遊技の進行のもとで大当たりへの当選を狙うことができる。
【００９２】
特図表示器８１の確率変動機能と変動時間短縮機能とは同時に作動することもあるし、片方のみが作動することもある。そして、普図表示器８２の確率変動機能および変動時間短縮機能は、特図表示器８１の変動時間短縮機能に同期して作動するようになっている。すなわち、普図表示器８２の確率変動機能および変動時間短縮機能は、時短状態において作動し、非時短状態において作動しない。よって、時短状態では、普通図柄抽選における当選確率が非時短状態よりも高くなっている。すなわち、当たりと判定される普通図柄乱数（当たり乱数）の値が非時短状態で用いる普通図柄当たり判定テーブルよりも多い普通図柄当たり判定テーブルを用いて、当たり判定（普通図柄の判定）を行う（図１０（Ｃ）参照）。つまり、普通図柄表示器４２の確率変動機能が作動すると、作動していないときに比して、普通図柄表示器４２による普通図柄の可変表示の表示結果が、普通当たり図柄となる確率が高くなる。
【００９３】
また時短状態では、普通図柄の変動時間が非時短状態よりも短くなっている。本形態では図１０（Ｄ）に示すように、普通図柄の変動時間は、普通図柄の抽選の結果が当たり又はハズレの何れであっても、非時短状態では１０秒であるのに対して、時短状態では１秒である。なお普通図柄の停止時間は、時短状態である場合に８ｍｓに設定され、非時短状態である場合に５００ｍｓに設定される。
【００９４】
更に時短状態では、補助遊技における電チュー１２Ｄの開放時間が、非時短状態よりも長くなっている。すなわち、電チュー１２Ｄの開放時間延長機能が作動している。具体的には図１２に示すように、非時短状態では、電チュー１２Ｄが１．０秒だけ開放するのに対して、時短状態では、電チュー１２Ｄが３．０秒だけ開放する。
【００９５】
加えて時短状態では、補助遊技における電チュー１２Ｄの開放回数が非時短状態よりも多くなっている（図１２参照）。すなわち、電チュー１２Ｄの開放回数増加機能が作動している。具体的には図１２に示すように、非時短状態では、電チュー１２Ｄが１回しか開放しないのに対して、時短状態では、電チュー１２Ｄが３回開放する。時短状態において、電チュー１２Ｄが閉鎖してから次の開放までのインターバル時間は、０．５秒に設定されている。
【００９６】
普図表示器８２の確率変動機能と変動時間短縮機能、および電チュー１２Ｄの開放時間延長機能と開放回数増加機能が作動している状況下では、これらの機能が作動していない場合に比して、電チュー１２Ｄが頻繁に開放され、第２始動口１２へ遊技球が入球し易くなる。従って、これらの機能が作動している状態を「入球容易状態」といい、作動していない状態を「非入球容易状態」という。なお、入球容易状態とは、いわゆる電サポ制御（電チュー１２Ｄにより第２始動口１２への入賞をサポートする制御）が実行されている状態である。よって、入球容易状態を電サポ制御状態や高ベース状態ともいう。これに対して、非入球容易状態を非電サポ制御状態や低ベース状態ともいう。
【００９７】
入球容易状態は、上記の全ての機能が作動するものでなくてもよい。すなわち、普図表示器８２の確率変動機能、普図表示器８２の変動時間短縮機能、および電チュー１２Ｄの開放時間延長機能、および電チュー１２Ｄの開放回数増加機能のうち一つ以上の機能の作動によって、その機能が作動していないときよりも電チュー１２Ｄが開放され易くなっていればよい。また、入球容易状態は、時短状態に付随せずに独立して制御されるようにしてもよい。
【００９８】
本形態のパチンコ遊技機ＰＹ１では、大当たり遊技後に高確率状態に制御されると、その高確率状態は、所定回数（本形態では１００００回）の特別図柄の可変表示が実行されるか、又は、大当たりに当選してその大当たり遊技が実行されることにより終了する。つまり本形態では、高確率状態は実質的に次回の大当たり当選まで継続する。なお、高確率状態の終了条件を、大当たりに当選してその大当たり遊技が実行されることだけとしてもよい。
【００９９】
なお、大当たり遊技と小当たり遊技とをまとめて、「特別遊技」と称することとし、特別遊技（大当たり遊技，小当たり遊技）の実行中の状態を「特別遊技状態（大当たり遊技状態，小当たり遊技状態）」と称することとする。さらに、高確率状態および高ベース状態のうち少なくとも一方の状態に制御されている状態を、「特典遊技状態」と称することとする。
【０１００】
本形態において、電サポ制御状態を伴う高確時短状態では、右打ちにより右遊技領域６Ｒ（図２参照）へ遊技球を進入させた方が有利に遊技を進行できる。電サポ制御により電チュー１２Ｄが開放されやすくなっており、第１始動口１１への入賞よりも第２始動口１２への入賞の方が容易となっているからである。そのため、普通図柄抽選の契機となるゲート１３へ遊技球を通過させつつ、第２始動口１２へ遊技球を入賞させるべく右打ちを行う。これにより左打ちをするよりも、多数の始動入賞（始動口への入賞）を得ることができる。なお本パチンコ遊技機ＰＹ１では、大当たり遊技中（大当たり遊技状態）でも、大入賞口１４への入賞を狙って右打ちを行う。また電サポ制御状態を伴う低確時短状態でも、高確時短状態と同様、電チュー１２Ｄへの入球を狙って、右打ちを行う。
【０１０１】
ここで電サポ制御状態を伴う高確時短状態の場合、右打ちされた遊技球は、図３（Ａ）に示すように、電チュー開閉部材１２ｋが頻繁に開放していることで、ほぼ第２始動口１２に入球する。従って本形態では、特図１の抽選が頻繁に実行される。そして、第２流路Ｒ２を流下する遊技球は、電チュー１２Ｄよりも左下方に向かうことがほぼないため、第３始動口２０に入球することはない。従って、高確時短状態では、第３始動口２０への入球に基づいて特図２の抽選が実行されることはほぼない。つまり、特図２の抽選に基づいて小当たりと判定されることはない。
【０１０２】
一方、電サポ制御状態を伴わない通常遊技状態では、左打ちにより左遊技領域６Ｌ（図２参照）へ遊技球を進入させた方が有利に遊技を進行できる。後述するように、通常遊技状態で仮に右打ちを行うと、第２流路Ｒ２を流下する遊技球は、第３始動口２０に入球し得る。これにより、通常遊技状態で第２特別図柄の変動表示が実行されることになるが、このときには６０００００ｍｓ（図１０参照）という極めて長い間、第２特別図柄の変動表示が継続されてしまい、第２特別図柄の抽選結果をしばらく得ることができない。そのため、第１始動口１１へ遊技球を入賞させるべく左打ちを行う。これにより右打ちするよりも、スムーズに遊技を進めることができる。
【０１０３】
これらに対して、非電サポ制御状態を伴う高確非時短状態の場合、右打ちされた遊技球は、ほぼ電チュー１２Ｄに入球することができない（図３（Ｂ）参照））。そのため、第２流路Ｒ２を流下する遊技球は、電チュー１２Ｄの左下方に向かって、第３始動口２０（図２参照）に入球し得る。なお本形態では、右打ちされた遊技球が第３始動口２０へ入球する確率は、左打ちされた遊技球が第１始動口１１に入球する確率よりも高くなるように、第３始動口２０及び遊技くぎが配置されている。つまり、第３始動口２０は、第１始動口１１よりも入球し易くなるように配置されている。よって、高確非時短状態では、第３始動口２０への入球に基づいて、第２特別図柄の抽選が比較的頻繁に実行される。
【０１０４】
本形態では、第２特別図柄の抽選において、図１０（Ａ）に示すように、約２分の１の確率で小当たりに当選するように設定されているため、小当たりに比較的に頻繁に当選することが可能である。そのため、小当たり遊技が比較的頻繁に実行されて、大入賞口１４が頻繁に開放し得る。その結果、高確非時短状態では、第２流路Ｒ２を流下する遊技球は、開放している大入賞口１４に多数入賞することが可能である。
【０１０５】
よって、非電サポ制御状態を伴う高確非時短状態は、電サポ制御状態を伴う高確時短状態よりも、多くの賞球を獲得することができる有利な遊技状態である。つまり、高確時短状態では、ベース（発射球数に対する賞球数の割合）が「１」を超えないように設定されているのに対して、高確非時短状態では、小当たり遊技で開放する大入賞口１４への入賞により、ベースが「１」を超えることができるように設定されている。こうして、本形態の高確非時短状態は、小当たり当選に基づく大入賞口１４の開放により、大入賞口１４へ入賞し易い有利な遊技状態となるため、以下では「小当たりラッシュ状態（小当たり入賞容易状態）」とも称する。
【０１０６】
ここで本形態では、高確非時短状態で、右打ちされた遊技球がある程度第３始動口２０に入球し得るように設定したため、通常遊技状態（低確非時短状態）でも、右打ちされた遊技球が第３始動口２０に入球できることになる。従って、通常遊技状態において右打ちされないように対策を施す必要がある。
【０１０７】
そこで本形態のパチンコ遊技機ＰＹ１では、第１特別図柄と第２特別図柄とが同時に変動可能になっていて、図１１に示すように、低確非時短状態（通常遊技状態）における第２特別図柄の変動時間を、「６０００００ｍｓ（１０分）」という極めて長い時間に設定している。即ち、低確非時短状態において、第２特別図柄の変動時間が極めて長くなるように、低確非時短状態での専用の特図変動パターンテーブルを備えている。従って、非電サポ制御状態を伴う通常遊技状態で遊技者が右打ちを行って、第３始動口２０に入球すると、第１特別図柄の変動表示中であっても、第２特別図柄が１０分間、変動表示を続けることになる。よって遊技者は、第２特別図柄の抽選結果を１０分という極めて長い間得ることができない。以上により、通常遊技状態で遊技者が右打ちをして、遊技球を第３始動口２０へ入球させても、遊技者に不当な利益を与えることがない。そして遊技者が通常遊技状態で誤って右打ちを行って、第２特別図柄が１０分間変動表示を続けても、第１特別図柄と第２特別図柄とが同時に変動可能になっているため、、第１特別図柄の抽選結果については通常通りに得ることができる。
【０１０８】
本形態では図３に示すように、第２特別図柄の抽選で大当たりに当選した場合には、ラウンド数が１６Ｒであるのに対して、第１特別図柄の抽選で大当たりに当選した場合には、実質的なラウンド数が９Ｒ又は８Ｒである。また第２特別図柄の抽選で大当たりに当選した場合には、何れの大当たりであってもＶ入賞が可能であり、実質的に１００％の確率で大当たり遊技後に高確率状態に移行することができる。これに対して、第１特別図柄の抽選で大当たりに当選した場合には、確変大当たり１である場合にだけＶ入賞が可能であり、５０％の確率で大当たり遊技後に高確率状態に移行することができる。従って本形態では、大当たり遊技中の出玉の多さと、より有利な遊技状態（高確率状態）への移行のし易さにより、第２特別図柄の抽選が第１特別図柄の抽選よりも有利に設定されている。
【０１０９】
そして高確非時短状態は、ベースが１を超える小当たりラッシュ状態であるため、高確時短状態よりも有利である。また高確時短状態では、大当たりへの当選確率が高くなっているため、低確時短状態よりも有利である。また低確時短状態は、電チュー１２Ｄへの入球が容易な電サポ制御状態を伴うため、低確非時短状態（通常遊技状態）よりも有利である。以上により本形態では、通常遊技状態⇒低確時短状態⇒高確時短状態⇒高確非時短状態の順番に、遊技者にとって有利な遊技状態になっている。
【０１１０】
５．遊技の流れ
次に、本形態の遊技の流れについて、図１３に基づいて説明する。図１３に示すように、通常遊技状態では、遊技者は左打ちによって第１流路Ｒ１に遊技球を流下させて、第１始動口１１への入球を狙う。これにより特図１の抽選が実行される。ここで特図１の抽選で大当たりに当選した場合、５０％の確率で確変大当たり１に当選して、大当たり遊技後に高確時短状態に移行することができる。一方、特図１の抽選で大当たりに当選した場合、５０％の確率で通常大当たりに当選して、大当たり遊技後に低確時短状態に移行することになる。
【０１１１】
高確時短状態では、遊技者は右打ちによって第２流路Ｒ２に遊技球を流下させる。このとき電サポ制御状態によって電チュー１２Ｄが頻繁に開放するため、第２流路Ｒ２に向かって打ち込まれた遊技球は、ほぼ電チュー１２Ｄに入球して、電チュー１２Ｄよりも左下方に向かうことがない。つまり、電チュー１２Ｄよりも左下方に配置されている大入賞口１４及び第３始動口２０（図２参照）に向かうことがほぼない（図３（Ｂ）参照）。そのため、電チュー１２Ｄの入球に基づいて特図１の抽選が実行される。
【０１１２】
ここで、特図１の抽選で確変大当たり１に当選した場合には、時短回数が「１００回」に設定される高確時短状態に制御される。この場合、特別図柄の変動表示が１００回実行されると、時短回数である１００回が全て消化されるため、非時短状態に移行する。その一方で、高確率状態は実質的に次回の大当たりへの当選まで継続するため、通常確率状態に移行することはない。以上により、時短回数である１００回が消化されると、高確非時短状態に移行することができる。
【０１１３】
高確非時短状態では、遊技者は右打ちによって第２流路Ｒ２に遊技球を流下させる。このとき非電サポ制御状態になっているため、電チュー１２Ｄがほぼ開放せずに、第２流路Ｒ２に向かって打ち込まれた遊技球は、電チュー１２Ｄよりも左下方に向かう。つまり、電チュー１２Ｄよりも左下方に配置されている大入賞口１４及び第３始動口２０（図２参照）に向かう（図３（Ｂ）参照）。そのため、第３始動口２０への入球に基づいて特図２の抽選が実行される。
【０１１４】
高確非時短状態において特図２の抽選が実行されると、小当たりに比較的頻繁に当選できるようになっている（図１０（Ａ）参照）。そのため、小当たり遊技の実行によって、大入賞口１４が頻繁に開放するため、第２流路Ｒ２を流下する遊技球は大入賞口１４に入球可能である。よって、非電サポ制御状態であるにも拘わらず、遊技者は多数の賞球を得ることが可能である。このようにして小当たりラッシュ状態になって、ベースが１よりも多くなって、高確時短状態よりも持ち球を増やすことが可能である。
【０１１５】
ところで本形態では、特図２の抽選によって当選する大当たりでは、大当たり遊技後にほぼ必ず高確率状態に移行できるようになっている（図８参照）。即ち、高確非時短状態にて特図２の抽選で確変大当たり２に当選すれば、再び高確非時短状態に移行できる。また高確非時短状態にて特図２の抽選で確変大当たり３に当選すれば、時短回数が５０回に設定される高確時短状態に移行できる。また高確非時短状態にて特図２の抽選で確変大当たり４に当選すれば、時短回数が１００回に設定される高確時短状態に移行できる。また高確非時短状態にて特図２の抽選で確変大当たり５に当選すれば、実質的に次回の大当たりに当選するまで時短状態が継続する高確時短状態に移行できる。
【０１１６】
そして本形態では、高確率状態は実質的に次回の大当たりに当選するまで継続する確変ループタイプのパチンコ遊技機ＰＹ１である。以上のことから、高確時短状態にて時短回数である１００回を消化して、高確非時短状態に移行すると、特図２による次回の大当たりへの当選が保証されているだけでなく、大当たり遊技後に高確率状態に移行できることも保証されていることになる。言い換えれば、高確時短状態で時短回数である１００回を消化すると、高確率状態への移行が確定するという斬新なゲーム性を提供することが可能である。
【０１１７】
要するに、従来のパチンコ遊技機においては、高確時短状態において、時短回数を消化すると通常遊技状態に移行するのが一般的であった。従って、時短回数が消化される度に、遊技者は焦燥感を覚えていくことになり、時短回数が全て消化される前に大当たりに早く当選するのを期待させるゲーム性になっていた。
【０１１８】
これに対して本パチンコ遊技機ＰＹ１においては、高確時短状態において、特図１の抽選が実行されるため、特図１の抽選で大当たりに当選しても、確変大当たり１又は通常大当たりである。ここで５０％の振分率で確変大当たり１に当選すれば、大当たり遊技後に再び高確時短状態に移行できるものの、５０％の振分率で通常大当たりに当選すれば、大当たり遊技後に低確時短状態に移行してしまう。こうして、時短回数が消化する前では、高確率状態への移行が確定しているわけではない。
【０１１９】
よって、高確時短状態においては、遊技者には時短回数の消化を期待させることになり、特図１の抽選では大当たりへの当選を期待させないことなる。そして上述したように、時短回数である１００回を消化すると高確率状態への移行が確定するため、時短回数の消化が高確率状態への移行のカウントダウンのようになる。このようにして遊技者には、時短回数を全て消化すれば、高確率状態を獲得できるという従来には無い特典を付与することが可能である。
【０１２０】
ここで本形態では、特図２の抽選で当選する大当たりのうち、確変大当たり２が遊技者にとって最も有利である。確変大当たり２に当選すれば、大当たり遊技後に最も有利な高確非時短状態（小当たりラッシュ状態）に移行できるからである。また特図２の抽選で当選する大当たりのうち、確変大当たり５⇒確変大当たり４⇒確変大当たり３の順番に遊技者にとって有利になる。確変大当たり３に当選すれば、大当たり遊技後の高確時短状態で５０回の時短回数を消化すれば高確非時短状態に移行でき、確変大当たり４に当選すれば、大当たり遊技後の高確時短状態で１００回の時短回数を消化すれば高確非時短状態に移行でき、確変大当たり５に当選すれば、大当たり遊技後の高確時短状態では時短回数の消化で実質的に高確非時短状態に移行できないからである。よって、高確時短状態に移行しても、時短回数が少ないほど遊技者に有利という斬新なゲーム性を提供することが可能である。
【０１２１】
６．演出モード及び演出例
次に図１４に基づいて、演出モードについて説明する。本形態では、各遊技状態にそれぞれ対応して、演出モードが設定される。演出モードは、画像表示装置５０における演出の態様である。演出モードが異なると、登場するキャラクタやアイテム、背景画像が異なる等、画像表示装置５０に表示される画像が異なり、変動演出も演出モードに応じた態様で実行される。本形態では、低確非時短状態（通常遊技状態）に対応する昼モードと、高確時短状態に対応する夜モードと、高確非時短状態（小当たりラッシュ状態）に対応する宇宙モードと、低確時短状態に対応する空モードとがある。
【０１２２】
昼モードに設定されているときには、図１４（Ａ）に示すように、表示画面５０ａに昼を示す昼背景画像Ｈ１が表示される。そのため、昼背景画像Ｈ１を見た遊技者に対して、低確非時短状態（通常遊技状態）に制御されていると認識させることが可能である。また夜モードに設定されているときには、図１４（Ｂ）に示すように、表示画面５０ａに夜を示す夜背景画像Ｈ２が表示される。そのため、夜背景画像Ｈ２を見た遊技者に対して、高確時短状態に制御されていると認識させることが可能である。また夜モードの設定中には、図１４（Ｂ）に示すように、表示画面５０ａの右上部に右打ちを促すための右打ち画像Ｒａが表示され続ける。この右打ち画像Ｒａの表示により、遊技者は右打ちすべき状況を把握して、電チュー１２Ｄ（第２始動口１２）への入球を狙うことが可能である。
【０１２３】
宇宙モードに設定されているときには、図１４（Ｃ）に示すように、表示画面５０ａに宇宙を示す宇宙背景画像Ｈ３が表示される。そのため、宇宙背景画像Ｈ３を見た遊技者に対して、高確非時短状態に制御されていると認識させることが可能である。また宇宙モードの設定中には、図１４（Ｃ）に示すように、表示画面５０ａの右上部に右打ちを促すための右打ち画像Ｒａが表示され続ける。この右打ち画像Ｒａの表示により、遊技者は右打ちすべき状況を把握して、第３始動口２０及び大入賞口１４への入球を狙うことが可能である。
【０１２４】
空モードに設定されているときには、図１４（Ｄ）に示すように、表示画面５０ａに空を示す空背景画像Ｈ４が表示される。そのため、空背景画像Ｈ４を見た遊技者に対して、低確時短状態に制御されていると認識させることが可能である。また空モードの設定中には、図１４（Ｄ）に示すように、表示画面５０ａの右上部に右打ち画像Ｒａが表示され続ける。この右打ち画像Ｒａの表示により、遊技者は右打ちすべき状況を把握して、電チュー１２Ｄ（第２始動口１２）への入賞を狙うことが可能である。
【０１２５】
次に、図１５に基づいて、演出例について説明する。前提条件として、通常遊技状態にて特図１の抽選で確変大当たり１に当選して、大当たり遊技後に高確時短状態に移行したこととする。この場合、夜モードに設定されるため、図１５（Ａ）に示すように、表示画面５０ａにて夜背景画像Ｈ２が表示される。更に、時短回数が１００回に設定される高確時短状態に移行していることから、表示画面５０ａには「宇宙モードまで残り１００回」の文字を示す移行条件示唆画像ＵＭが表示される。移行条件示唆画像ＵＭは、宇宙モードに移行するために必要な特別図柄の変動表示の回数を示唆するものである。なお移行条件示唆画像ＵＭは、確変大当たり３に当選した場合には、同様に「宇宙モードまで残り１００回」の文字を示すことになり、確変大当たり２に当選した場合には、「宇宙モードまで残り５０回」の文字を示すことになる。
【０１２６】
そして、電チュー１２Ｄへの入球により、特図１の抽選が実行されると、特図１の変動表示に同期して、図１５（Ｂ）に示すように、演出図柄ＥＺ１、ＥＺ２、ＥＺ３が変動表示する。これにより、表示画面５０ａの上部には、「残り９９回」の文字を示すカウントダウン画像ＣＯが表示される。カウントダウン画像ＣＯは、宇宙モードに移行するまでに残り何回特別図柄の変動表示が必要であるかを示唆するものである。従って、高確時短状態で特別図柄の変動表示が実行される度に、カウントダウン画像ＣＯで示される数字が減算されて表示されることになる。こうしてカウントダウン画像ＣＯにより、遊技者には高確率状態への移行の確定がカウントダウンされているように見せることが可能であり、時短回数の消化に伴って徐々に宇宙モードへ近づく高揚感を与えることが可能である。
【０１２７】
その後、高確時短状態で大当たりに当選することなく、特別図柄の変動表示が１００回実行されると、図１５（Ｃ）に示すように、「残り０回」の文字を示すカウントダウン画像ＣＯが表示される。そして、ハズレ態様を示す演出図柄ＥＺ１、ＥＺ２、ＥＺ３が停止表示された後、高確非時短状態に移行する。これにより、宇宙モードに設定されるため、図１５（Ｄ）に示すように、表示画面５０ａにて宇宙背景画像Ｈ３が表示されると共に、「宇宙モード突入」の文字を示す移行達成画像ＵＴが表示される。移行達成画像ＵＴは、宇宙モードへの移行が達成できたことを示唆するものである。この移行達成画像ＵＴにより、遊技者には、高確非時短状態（小当たりラッシュ状態）に移行できたことを把握させると共に、次回の大当たり遊技後でも高確率状態を獲得できることを把握させることが可能である。またこのときには、スピーカ６１０から「キュイーン」という特別音が出力される。この特別音は、次回の大当たり遊技後に高確率状態に移行できることが確定したことを示唆するものである。この特別音により、上述した移行達成画像ＵＴとの相乗効果で、遊技者に大きな高揚感を与えることが可能である。上述した移行達成画像ＵＴの表示、及び特別音の出力が、高確率状態に制御されることを示唆する「高確率状態示唆」に相当する。
【０１２８】
そして、高確非時短状態（宇宙モード）では、第２流路Ｒ２を流下する遊技球が、電チュー１２Ｄに入球できなくなる反面、第３始動口２０に入球できるようになる。これにより、特図２の抽選が実行されて、特図２の変動表示に同期して、図１５（Ｅ）に示すように、演出図柄ＥＺ１、ＥＺ２、ＥＺ３が変動表示する。そして、特図２の抽選では小当たりに当選し易いように設定されているため（図１０（Ａ）参照）、特図２の抽選で小当たりに当選していれば、図１５（Ｆ）に示すように、演出図柄ＥＺ１、ＥＺ２、ＥＺ３が小当たり当選を示す小当たり態様（「１３５」）で停止表示する。これにより、小当たり遊技が実行されて、大入賞口１４が開放することになるため、表示画面５０ａの右下部には、右下向きの矢印を示す打ち込み示唆画像ＭＳが表示される。打ち込み示唆画像ＭＳは、大入賞口１４の位置を指し示すことで、遊技者に大入賞口１４に入球させる状況を示唆することが可能である。
【０１２９】
その後、特図２の変動表示に同期して、図１５（Ｇ）に示すように、演出図柄ＥＺ１、ＥＺ２、ＥＺ３が変動表示する。このとき、特図２の抽選では大当たりに当選していることとする。この場合、図１５（Ｈ）に示すように、演出図柄ＥＺ１、ＥＺ２、ＥＺ３が大当たり当選を示す大当たり態様（「７７７」）で停止表示する。このとき、大当たり遊技後に高確率状態への移行が確定している状況であるため、停止表示する演出図柄ＥＺ１、ＥＺ２、ＥＺ３は、高確率状態への移行を示唆する確変停止態様（「７７７」又は「３３３」等）で停止表示するようになっている。そして、大当たり遊技後が開始されて、大当たり遊技後には高確率状態に移行することになる。
【０１３０】
８．遊技制御用マイコンの動作
［主制御メイン処理］次に図１６〜図４２に基づいて遊技制御用マイコン１０１の動作について説明する。なお、遊技制御用マイコン１０１の動作説明にて登場するカウンタ、タイマ、フラグ、ステータス、バッファ等は、遊技用ＲＡＭ１０４に設けられている。遊技制御基板１００に備えられた遊技制御用マイコン１０１は、パチンコ遊技機ＰＹ１の電源がオンされると、遊技用ＲＯＭ１０３から図１６に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、遊技用ＣＰＵ１０２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【０１３１】
初期設定(S001)に次いで、割り込みを禁止し(S002)、普通図柄・特別図柄主要乱数更新処理(S003)を実行する。この普通図柄・特別図柄主要乱数更新処理(S003)では、図９に示した種々の乱数カウンタ値を１だけ加算して更新する。各乱数カウンタ値は上限値に至ると「０」に戻って再び加算される。なお各乱数カウンタの周期初期値は「０」以外の値であってもよく、ランダムに変更されるものであってもよい。また各乱数は、カウンタＩＣ等からなる公知の乱数生成回路を利用して生成される所謂ハードウェア乱数であってもよい。
【０１３２】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期で遊技用ＣＰＵ１０２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときに遊技用ＣＰＵ１０２に割り込みパルスが入力された場合は、メイン側タイマ割り込み処理(S005)はすぐには開始されず、割り込み許可(S004)がされてから開始される。
【０１３３】
［メイン側タイマ割り込み処理］次に、メイン側タイマ割り込み処理(S005)について説明する。図１７に示すように、メイン側タイマ割り込み処理(S005)では、まず出力処理を実行する(S101)。出力処理(S101)では、以下に説明する各処理において遊技制御基板１００の遊技用ＲＡＭ１０４に設けられた出力バッファにセットされたコマンド等を、演出制御基板１２０や払出制御基板１７０等に出力する。
【０１３４】
出力処理(S101)に次いで行われる入力処理(S102)では、主にパチンコ遊技機ＰＹ１に取り付けられている各種センサ（第１始動口センサ１１ａ，第２始動口センサ１２ａ、第３始動口センサ２０ａ、大入賞口センサ１４ａ、一般入賞口センサ１０ａ等（図６参照））が検知した検出信号を読み込み、賞球情報として遊技用ＲＡＭ１０４の出力バッファに記憶する。また、下皿３５の満杯を検出する下皿満杯スイッチからの検出信号も取り込み、下皿満杯データとして遊技用ＲＡＭ１０４の出力バッファに記憶する。
【０１３５】
次に行われる普通図柄・特別図柄主要乱数更新処理(S103)は、図１６の主制御メイン処理で行う普通図柄・特別図柄主要乱数更新処理(S003)と同じである。即ち、図９に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【０１３６】
普通図柄・特別図柄主要乱数更新処理(S103)に次いで、後述するセンサ検出処理(S104)、普通動作処理(S105)、第１特別動作処理(S106)、第２特別動作処理(S107)を実行する。そして後述する特定領域センサ検出処理(S108)を実行する。その後、その他の処理(S109)を実行して、メイン側タイマ割り込み処理(S005)を終了する。その他の処理(S109)としては、後述の特図保留球数に基づいて特図保留表示器８３をその数を示す表示態様に制御したりする。そして、次に遊技用ＣＰＵ１０２に割り込みパルスが入力されるまでは主制御メイン処理のステップS002〜S004の処理が繰り返し実行され（図１６参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にて遊技用ＲＡＭ１０４の出力バッファにセットされたコマンド等が出力される。
【０１３７】
［センサ検出処理］図１８に示すように、センサ検出処理(S104)ではまず、遊技球がゲート１３を通過したか否か、即ち、ゲートセンサ１３ａによって遊技球が検出されたか否か判定する(S201)。ゲート１３を遊技球が通過していなければ(S201でNO)、ステップS205に進む。遊技球が通過していれば(S201でYES)、普図保留球数（普図保留の数、具体的には遊技用ＲＡＭ１０４に設けた普図保留の数をカウントするカウンタの数値）が「４」に達しているか否かを判定する(S202)。そして、普図保留球数が「４」に達している場合には(S202でYES)、ステップS205に進むが、普図保留球数が「４」未満である場合には(S202でNO)、普図保留球数に「１」を加算する(S203)。
【０１３８】
続いて、普図関係乱数取得処理を行う(S204)。普図関係乱数取得処理(S204)では、普通図柄乱数カウンタの値（ラベル−ＴＲＮＤ−Ｈの値、図９（Ｂ）参照）を取得し、その取得乱数値を普図保留記憶部１０６のうち現在の普図保留球数に応じた記憶領域に格納する。
【０１３９】
ステップS205では、第１始動口１１又は第２始動口１２に遊技球が入賞したか否か、即ち第１始動口センサ１１ａ又は第２始動口センサ１２ａによって遊技球が検出されたか否かを判定する。第１始動口１１又は第２始動口１２の何れにも遊技球が入賞していない場合には(S205でNO)ステップS209に進むが、第１始動口１１又は第２始動口１２の何れかに遊技球が入賞した場合には(S205でYES)、特図１保留球数（第１特図保留の数、具体的には遊技用ＲＡＭ１０４に設けた第１特図保留の数をカウントするカウンタの数値）が「４」（第１上限数）に達しているか否かを判定する(S206)。そして、特図１保留球数が「４」に達している場合には(S206でYES)、ステップS209に進むが、特図１保留球数が「４」未満である場合には(S206でNO)、特図１保留球数に「１」を加算する(S207)。
【０１４０】
続いて、特図１関係乱数取得処理を行う(S208)。特図１関係乱数取得処理(S208)では、大当たり乱数カウンタの値（ラベル−ＴＲＮＤ−Ａの値）、当たり種別乱数カウンタの値（ラベル−ＴＲＮＤ−ＡＳの値）、リーチ乱数カウンタの値（ラベル−ＴＲＮＤ−ＲＣの値）及び変動パターン乱数カウンタの値（ラベル−ＴＲＮＤ−Ｔ１の値）を取得し（つまり図９（Ａ）に示す乱数値群を取得し）、それら取得乱数値を第１特図保留記憶部１０５ａのうち現在の特図１保留球数に応じた記憶領域に格納する。
【０１４１】
続いてセンサ検出処理(S104)では、第３始動口２０に遊技球が入賞したか否か、即ち、第３始動口センサ２０ａによって遊技球が検出されたか否かを判定する(S209)。第３始動口２０に遊技球が入賞していない場合には(S209でNO)本処理を終えるが、第３始動口２０に遊技球が入賞した場合には(S209でYES)、特図２保留球数（第２特図保留の数、具体的には遊技用ＲＡＭ１０４に設けた第２特図保留の数をカウントするカウンタの数値）が「４」に達しているか否かを判定する(S210)。そして、特図２保留球数が、「４」に達している場合には（S210でYES）、本処理を終えるが、特図２保留球数が「４」に達していない場合には(S210でNO)、特図２保留球数に「１」を加算する(S211)。
【０１４２】
続いて特図２関係乱数取得処理を行って(S212)、本処理を終える。特図２関係乱数取得処理(S212)では、特図１関係乱数取得処理(S208)と同様に、大当たり乱数カウンタ値（ラベル−ＴＲＮＤ−Ａ）、当たり種別乱数カウンタ値（ラベル−ＴＲＮＤ−ＡＳ）、リーチ乱数カウンタ値（ラベル−ＴＲＮＤ−ＲＣ）及び変動パターン乱数カウンタ値（ラベル−ＴＲＮＤ−Ｔ１）を取得し（つまり図９（Ａ）に示す乱数値群を取得し）、それら取得乱数値を第２特図保留記憶部１０５ｂのうち現在の特図２保留球数に応じた記憶領域に格納する。
【０１４３】
[普通動作処理]遊技制御用マイコン１０１は、センサ検出処理(S104)に次いで普通動作処理(S105)を行う（図１７参照）。図１９に示すように、普通動作処理(S105)ではまず、電チュー１２Ｄの作動中か否かを判定する(S401)。電チュー１２Ｄの作動中でなければ(S401でNO)、続いて、普通図柄の停止表示中か否かを判定する(S402)。普通図柄の停止表示中でなければ(S402でNO)、続いて、普通図柄の変動表示中か否かを判定する(S403)。普通図柄の変動表示中でなければ(S403でNO)、続いて、普通図柄の保留球数が「０」か否かを判定する(S404)。普通図柄の保留球数が「０」であれば(S404でYES)、本処理を終える。
【０１４４】
ステップS404において普通図柄の保留球数が「０」でなければ(S404でNO)、当たり判定処理を行う(S405)。当たり判定処理(S405)では、普図保留記憶部１０６に格納されている普通図柄乱数カウンタ値（ラベル−ＴＲＮＤ−Ｈの値）を読み出し、図１０（Ｃ）に示す普通図柄当たり判定テーブルに基づいて当たりか否か判定する。そして、当たり判定の結果に応じた普図停止図柄データを遊技用ＲＡＭ１０４の所定の記憶領域にセットする図柄決定処理を行う(S406)。つまり図柄決定処理(S406)では、「ハズレ」であれば「普図ハズレ図柄」に応じたデータをセットし、「当たり」であれば「普通当たり図柄」に応じたデータをセットする。
【０１４５】
続いて遊技制御用マイコン１０１は、普通図柄変動時間決定処理を行う(S407)。普通図柄変動時間決定処理(S407)では、図１０（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が１０秒の普通図柄変動パターンを選択する。
【０１４６】
次いで遊技制御用マイコン１０１は、普通図柄保留球数を１ディクリメントする(S408)。そして、普図保留記憶部１０６における各普図保留の格納場所（記憶領域）を現在の位置から読み出される側に一つシフトするとともに、普図保留記憶部１０６における保留４個目に対応する記憶領域（読み出される側から最も遠い記憶領域）をクリアする(S409)。このようにして、普図保留が保留された順に消化されるようにしている。その後、遊技制御用マイコン１０１は、ステップS407で選択した普通図柄変動パターンにて普通図柄の変動表示を開始する(S410)。なおこれに伴い、演出制御基板１２０に普通図柄の変動開始を知らせるため、普通図柄変動開始コマンドをセットする。
【０１４７】
上述のステップS403にて普通図柄の変動表示中であれば(S403でYES)、続いて、普通図柄の変動時間が経過したか否か判定し(S411)、経過していなければ処理を終える。一方、経過していれば(S411でYES)、普通図柄の変動表示を、普通図柄乱数の判定結果に応じた表示結果（普通当たり図柄又は普通ハズレ図柄）で停止させる(S412)。そして、演出制御基板１２０に普通図柄の変動停止を知らせるための普通図柄変動停止コマンドをセットするとともに(S413)、普通図柄の停止時間をセットして(S414)本処理を終える。
【０１４８】
また、上述のステップS402にて普通図柄の停止表示中であれば(S402でYES)、続いて、ステップS414でセットした普通図柄の停止時間が経過したか否か判定し(S415)、経過していなければ処理を終える。一方、経過していれば(S415でYES)、普通当たり図柄の普図停止図柄データがセットされているか否かを判定し(S416)、普通当たり図柄のデータでなければ（つまり当たりでなければ(S416でNO)）、本処理を終える。一方、普通当たり図柄のデータであれば（つまり当たりであれば(S416でYES)）、電チュー１２Ｄの開放パターンをセットする(S417)。詳細には、時短状態中であれば、電チュー１２Ｄの開放パターンとして時短状態中の開放パターン（図１２の電チュー開放ＴＢＬ２参照）をセットする。これに対して、非時短状態中であれば、電チュー１２Ｄの開放パターンとして非時短状態中の開放パターン（図１２の電チュー開放ＴＢＬ１参照）をセットする。そして、ステップS417でセットした開放パターンに従って、電チュー１２Ｄを作動させる(S418)。
【０１４９】
また、上述のステップS401にて電チュー１２Ｄの作動中であれば(S401でYES)、続いて、電チュー１２Ｄの作動時間が経過したか否かを判定し(S419)、経過していなければ処理を終える。一方、経過していれば(S419でYES)、電チュー１２Ｄの作動を終了させる(S420)。
【０１５０】
［第１特別動作処理］遊技制御用マイコン１０１は、普通動作処理(S105)に次いで、図２０に示す第１特別動作処理を行う(S106)。第１特別動作処理(S106)は、特図１の抽選に基づく大当たり遊技に関する処理である。図２０に示すように、第１特別動作処理(S106)では、特図表示器８１（主に第１特図表示器８１ａ）および大入賞装置（大入賞装置１４Ｄ）に関する処理を４つの段階に分け、それらの各段階に「第１特別動作ステータス１，２，３，４」を割り当てている。なお第１特別動作ステータスは、初期設定では「１」である。
【０１５１】
第１特別動作処理(S106)ではまず、遊技制御用マイコン１０１は、「第２特別動作ステータス」が「４」又は「５」であるか否かを判定する(S1001)。第２特別動作ステータスが「４」であれば(S1001でYES)、後述するように特図２の抽選に基づく大当たり遊技の実行中を意味する。また第２特別動作ステータスが「５」であれば(S1001でYES)、後述するように特図２の抽選に基づく小当たり遊技の実行中を意味する。第２特別動作ステータスが「４」又は「５」であれば(S1001でYES)、直ちに処理を終える。つまり、特図２の抽選に基づく大当たり遊技の実行中又は小当たり遊技の実行中には、特図１の抽選に基づく大当たり遊技に関する処理を行わないことになる。
【０１５２】
これに対して、第２特別動作ステータスが「４」又は「５」の何れでもなくて(S1001でNO)、「第１特別動作ステータス」が「１」である場合には(S1002でYES)、後述する第１特別図柄待機処理を行い(S1003)、「第１特別動作ステータス」が「２」である場合には(S1002でNO、S1004でYES)、後述する第１特別図柄変動中処理を行い(S1005)、「第１特別動作ステータス」が「３」である場合には(S1002,S1004で共にNO、S1006でYES)、後述する第１特別図柄確定処理を行い(S1007)、「第１特別動作ステータス」が「４」である場合には(S1002,S1004,S1006で全てNO)、大当たり遊技を行うべく、後述する特別電動役物処理１を行う(S1009)。
【０１５３】
［第２特別動作処理］遊技制御用マイコン１０１は、第１特別動作処理(S106)に次いで、図２１に示す第２特別動作処理を行う(S107)。第２特別動作処理(S107)は、特図２の抽選に基づく大当たり遊技又は小当たり遊技の発生に関する処理である。図２１に示すように、第２特別動作処理(S107)では、特図表示器８１（主に第２特図表示器８１ｂ）および大入賞装置（大入賞装置１４Ｄ）に関する処理を５つの段階に分け、それらの各段階に「第２特別動作ステータス１，２，３，４，５」を割り当てている。なお第２特別動作ステータスは、初期設定では「１」である。
【０１５４】
第２特別動作処理(S107)ではまず、遊技制御用マイコン１０１は、「第１特別動作ステータス」が「４」であるか否かを判定する(S1101)。第１特別動作ステータスが「４」であれば(S1001でYES)、特図１の抽選に基づく大当たり遊技の実行中を意味する。第１特別動作ステータスが「４」であれば(S1101でYES)、直ちに処理を終える。つまり、特図１の抽選に基づく大当たり遊技の実行中には、特図２の抽選に基づく大当たり遊技又は小当たり遊技の発生に関する処理を行わないことになる。
【０１５５】
これに対して、第１特別動作ステータスが「４」ではなくて(S1101でNO)、「第２特別動作ステータス」が「１」である場合には(S1102でYES)、後述する第２特別図柄待機処理を行い(S1103)、「第１特別動作ステータス」が「２」である場合には(S1102でNO、S1104でYES)、後述する第２特別図柄変動中処理を行い(S1105)、「第２特別動作ステータス」が「３」である場合には(S1102,S1104で共にNO、S1106でYES)、後述する第２特別図柄確定処理を行い(S1107)、「第２特別動作ステータス」が「４」である場合には(S1102,S1104,S1106でNO、S1108でYES)、大当たり遊技を行うべく、後述する特別電動役物処理１を行い(S1109)、「第２特別動作ステータス」が「５」である場合には(S1102,S1104,S1106,S1108で全てNO)、小当たり遊技を行うべく、後述する特別電動役物処理２を行う(S1110)。
【０１５６】
［第１特別図柄待機処理］図２２に示すように、第１特別図柄待機処理(S1003)ではまず、特図１保留球数が「０」であるか否かを判定する(S1201)。特図１保留球数が「０」である場合(S1201でYES)、即ち、第１始動口１１又は第２始動口１２への入賞に起因して取得した乱数カウンタ値群の記憶（特図１の保留情報）がない場合には、本処理を終える。一方、特図１保留球数が「０」でない場合(S1201でNO)、即ち、第１始動口１１又は第２始動口１２への入賞に起因して取得した乱数カウンタ値群の記憶が１つ以上ある場合には、後述の特図１大当たり判定処理(S1202)及び特図１変動パターン選択処理(S1203)を行う。
【０１５７】
その後、遊技制御用マイコン１０１は、後述する遊技状態管理処理(S1204)を実行する。続いて、特図１保留球数を１ディクリメントする(S1205)。そして、第１特図保留記憶部１０５ａにおける各種カウンタ値の格納場所（記憶領域）を現在の位置から読み出される側に一つシフトするとともに、第１特図保留記憶部１０５ａにおける保留４個目に対応する記憶領域（読み出される側から最も遠い記憶領域）をクリアする(S1206)。このようにして、第１特図保留は保留された順に消化される。
【０１５８】
続いて遊技制御用マイコン１０１は、特図１変動開始処理を実行する(S1207)。特図１変動開始処理(S1207)では、第１特別動作ステータスを「２」にセットするとともに、特図１変動開始コマンドを遊技用ＲＡＭ１０４の出力バッファにセットする。そして、上記の特図１変動パターン選択処理(S1203)でセットされた変動パターンに応じた変動時間（特図１の変動時間）を、特図１変動時間タイマにセットするとともに、第１特図表示器８１ａ上で第１特別図柄の変動表示を開始する。なお、特図１変動開始処理(S1207)でセットされる特図１変動開始コマンドには、特図１大当たり判定処理(S1202)でセットされた特図停止図柄データの情報や特図１変動パターン選択処理(S1203)でセットされた変動パターンの情報（特図１の変動時間及び停止時間の情報を含む情報）が含まれている。
【０１５９】
［特図１大当たり判定処理］図２３に示すように、特図１大当たり判定処理(判定処理、S1202)ではまず、判定値として、大当たり乱数カウンタ値（ラベル−ＴＲＮＤ−Ａの値）を読み出す(S1301)。詳細には、第１特図保留記憶部１０５ａに一つ目の保留情報として記憶されている大当たり乱数カウンタ値を読み出す。
【０１６０】
次に、遊技状態に応じた大当たり判定テーブル（図１０（Ａ））をセットする(S1302)。すなわち、通常確率状態（非高確率状態）であれば、大当たり判定テーブルのうち特図１且つ非高確率状態用のテーブルをセットする。一方、高確率状態であれば、大当たり判定テーブルのうち特図１且つ高確率状態用のテーブルをセットする。
【０１６１】
次いで、ステップS1302でセットした大当たり判定テーブル（図１０（Ａ）参照）に基づいて大当たりか否かを判定する(S1303)。大当たりの当否判定の結果が「大当たり」であれば(S1303でYES)、第１大当たりフラグをＯＮする(S1304)。第１大当たりフラグは、特図１の抽選で大当たりに当選したことを示すフラグである。そして、当たり種別乱数カウンタ値（ラベル−ＴＲＮＤ−ＡＳの値）を読み出して、図８に示す当たり種別判定テーブルに基づいて大当たり種別を判定するとともに(S1305)、大当たり種別に応じた特図停止図柄データ（図８参照）をセットして(S1306)、本処理を終える。
【０１６２】
これに対してステップS1303において、「大当たり」でないと判定すれば(S1303でNO)、ステップS1309に進む。ステップS1309では、上述したように、ハズレ図柄に応じた特図停止図柄データ（０１Ｈ）をセットして、処理を終える。
【０１６３】
［特図１変動パターン選択処理］次に図２４および図２５に基づいて特図１変動パターン選択処理(S1203)について説明する。図２４に示すように、特図１変動パターン選択処理(S1203)ではまず、遊技状態が時短状態か否か（時短フラグがＯＮか否か）を判定する(S1401)。
【０１６４】
時短状態でなければ(S1401でNO)、すなわち非時短状態であれば、続いて第１大当たりフラグがＯＮか否かを判定する(S1402)。ＯＮであれば(S1402でYES)、非時短状態中大当たりテーブル（図１１に示す特図変動パターン判定テーブルのうち特図１且つ非時短状態且つ大当たりに該当する部分）を参照して、変動パターン乱数カウンタ値（ラベル−ＴＲＮＤ−Ｔ１の値）に基づいて変動パターンを選択する(S1403)。
【０１６５】
またステップS1402において、第１大当たりフラグがＯＮでなければ(S1402でNO)、続いて、リーチ乱数カウンタ値（ラベル−ＴＲＮＤ−ＲＣの値）がリーチ成立乱数値か否かを判定する(S1404)。リーチ乱数カウンタ値がリーチ成立乱数値である場合(S1404でYES)、即ち、リーチ有りの場合には、非時短状態中リーチ有りハズレテーブル（図１１に示す特図変動パターン判定テーブルのうち特図１且つ非時短状態且つリーチ有りハズレに該当する部分）を参照して、変動パターン乱数カウンタ値に基づいて変動パターンを選択する(S1405)。
【０１６６】
一方、リーチ乱数カウンタ値がリーチ成立乱数値でない場合(S1404でNO)、即ち、リーチ無しの場合には、非時短状態中リーチ無しハズレテーブル（図１１に示す特図変動パターン判定テーブルのうち特図１且つ非時短状態且つリーチ無しハズレに該当する部分）を参照して、変動パターン乱数カウンタ値に基づいて変動パターンを選択する(S1406)。このリーチ無しハズレ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている。
【０１６７】
またステップS1401において、遊技状態が時短状態であると判定した場合(S1401でYES)には、図２５に示すように、参照する特図変動パターン判定テーブルを時短状態中のテーブル（図１１に示す特図変動パターン判定テーブルのうち時短状態に該当する部分）にする事以外は上記ステップS1402〜S1406と同様の流れで処理(S1407〜S1411)を行う。すなわち、第１大当たりフラグがＯＮであれば(S1407でYES)、時短状態中大当たりテーブル（図１１の特図１且つ時短状態且つ大当たりに該当する部分）を参照して、変動パターン乱数カウンタ値に基づいて変動パターンを選択する(S1408)。
【０１６８】
またリーチ乱数カウンタ値がリーチ成立乱数値であれば(S1409でYES)、時短状態中リーチ有りハズレテーブル（図１１の特図１且つ時短状態且つリーチ有りハズレに該当する部分）を参照して、変動パターン乱数カウンタ値に基づいて変動パターンを選択する(S1410)。またリーチ乱数カウンタ値がリーチ成立乱数値でなければ(S1409でNO)、時短状態中リーチ無しハズレテーブル（図１１の特図１且つ時短状態且つリーチ無しハズレに該当する部分）を参照して、変動パターン乱数カウンタ値に基づいて変動パターンを選択する(S1411)。
【０１６９】
ここで、時短状態中の特図変動パターン判定テーブル（図１１に示す特図変動パターン判定テーブルのうち時短状態に該当する部分）では、リーチ無しハズレ時の保留球数に応じた短縮変動の機能が保留球数「２」〜「４」のときに働く。すなわち、非時短状態中よりも短縮変動が選択され易くなっている。つまり、時短状態中の特図変動パターン判定テーブルは、非時短状態中の特図変動パターン判定テーブルよりも特別図柄の変動時間が短くなるようなテーブルとなっている。
【０１７０】
上記のようにして変動パターンの選択を行った後は、図２４に示すように、選択した変動パターンをセットして(S1412)、本処理を終える。ステップS1412でセットした変動パターンの情報は、第１特別図柄待機処理(S1003)におけるステップS1207でセットされる特図１変動開始コマンドに含められる。
【０１７１】
ここで図１１に示すように、変動パターンが決まれば変動時間及び停止時間も決まる。また、リーチになる場合にそのリーチがノーマルリーチとなるのかスーパーリーチ（ＳＰリーチ）となるのかも決まる（図１１の備考欄参照）。ＳＰリーチとは、ノーマルリーチよりもリーチ後の変動時間が長いリーチである。本形態では、ＳＰリーチはノーマルリーチを経て発展的に実行される。
【０１７２】
また本形態では、ＳＰリーチの中には、弱ＳＰリーチＡと弱ＳＰリーチＢと強ＳＰリーチとがある（図１１の備考欄参照）。なお、ＳＰリーチの種類としてこれら以外の種類を含んでいる構成としてもよい。上記のＳＰリーチは、互いに大当たり当選に対する期待度（当選期待度）が異なっている。具体的には、弱ＳＰリーチＡ⇒弱ＳＰリーチＢ⇒強ＳＰリーチの順番に、当選期待度が高くなるように各種の変動パターンの振分率が設定されている。
【０１７３】
［第２特別図柄待機処理］図２６に示すように、第２特別図柄待機処理(S1103)ではまず、特図２保留球数が「０」であるか否かを判定する(S1501)。特図２保留球数が「０」である場合(S1501でYES)、即ち、第３始動口２０への入賞に起因して取得した乱数カウンタ値群の記憶（特図２の保留情報）がない場合には、本処理を終える。一方、特図２保留球数が「０」でない場合(S1501でNO)、即ち、第３始動口２０への入賞に起因して取得した乱数カウンタ値群の記憶が１つ以上ある場合には、後述の特図２大当たり判定処理(S1502)及び特図２変動パターン選択処理(S1503)を行う。
【０１７４】
その後、遊技制御用マイコン１０１は、後述する遊技状態管理処理(S1504)を実行する。続いて、特図２保留球数を１ディクリメントする(S1505)。そして、第２特図保留記憶部１０５ｂにおける各種カウンタ値の格納場所（記憶領域）を現在の位置から読み出される側に一つシフトするとともに、第２特図保留記憶部１０５ｂにおける保留４個目に対応する記憶領域（読み出される側から最も遠い記憶領域）をクリアする(S1506)。このようにして、第２特図保留は保留された順に消化される。
【０１７５】
続いて遊技制御用マイコン１０１は、特図２変動開始処理を実行する(S1507)。特図２変動開始処理(S1507)では、第２特別動作ステータスを「２」にセットするとともに、特図２変動開始コマンドを遊技用ＲＡＭ１０４の出力バッファにセットする。そして、上記の特図２変動パターン選択処理(S1503)でセットされた変動パターンに応じた変動時間（特図２の変動時間）を、特図２変動時間タイマにセットするとともに、第２特図表示器８１ｂ上で第２特別図柄の変動表示を開始する。なお、特図２変動開始処理(S1507)でセットされる特図２変動開始コマンドには、特図２大当たり判定処理(S1502)でセットされた特図停止図柄データの情報や特図２変動パターン選択処理(S1503)でセットされた変動パターンの情報（特図２の変動時間及び停止時間の情報を含む情報）が含まれている。
【０１７６】
［特図２大当たり判定処理］図２７に示すように、特図２大当たり判定処理(判定処理、S1502)ではまず、判定値として、大当たり乱数カウンタ値（ラベル−ＴＲＮＤ−Ａの値）を読み出す(S1601)。詳細には、第２特図保留記憶部１０５ｂに一つ目の保留情報として記憶されている大当たり乱数カウンタ値を読み出す。
【０１７７】
次に、遊技状態に応じた大当たり判定テーブル（図１０（Ａ））をセットする(S1602)。すなわち、通常確率状態（非高確率状態）であれば、大当たり判定テーブルのうち特図２且つ非高確率状態用のテーブルをセットする。一方、高確率状態であれば、大当たり判定テーブルのうち特図２且つ高確率状態用のテーブルをセットする。
【０１７８】
次いで、ステップS1602でセットした大当たり判定テーブル（図１０（Ａ）参照）に基づいて大当たりか否かを判定する。大当たりの当否判定の結果が「大当たり」であれば(S1603でYES)、第２大当たりフラグをＯＮする(S1604)。第２大当たりフラグは、特図２の抽選で大当たりに当選したことを示すフラグである。そして、当たり種別乱数カウンタ値（ラベル−ＴＲＮＤ−ＡＳの値）を読み出して、図８に示す当たり種別判定テーブルに基づいて大当たり種別を判定するとともに(S1605)、大当たり種別に応じた特図停止図柄データ（図８参照）をセットして(S1606)、本処理を終える。
【０１７９】
これに対して、ステップS1603にて大当たりでないと判定すれば、ステップS1607に進む。ステップS1607では、ステップS1602でセットした大当たり判定テーブル（図１０（Ａ）参照）に基づいて小当たりか否かを判定する。小当たりの当否判定の結果が「小当たり」であれば(S1607でYES)、小当たりフラグをＯＮする(S1608)。そして、小当たりに応じた特図停止図柄データ（２５Ｈ、図８参照）をセットして(S1611)、処理を終える。一方、「小当たり」でなければ(S1607でNO)、ハズレ図柄に応じた特図停止図柄データ（０１Ｈ）をセットして(S1610)、処理を終える。
【０１８０】
［特図２変動パターン選択処理］次に図２８〜図３０に基づいて特図２変動パターン選択処理(S1503)について説明する。図２８に示すように、特図２変動パターン選択処理(S1503)ではまず、遊技状態が時短状態か否か（時短フラグがＯＮか否か）を判定する(S1701)。
【０１８１】
時短状態でなければ(S1701でNO)、すなわち非時短状態であれば、続いて、遊技状態が高確率状態か否か（後述する確変フラグがＯＮか否か）を判定する。高確率状態でなければ(S1702でNO)、すなわち低確非時短状態であれば、続いて第２大当たりフラグがＯＮか否かを判定する(S1703)。ＯＮであれば(S1703でYES)、低確非時短状態中大当たりテーブル（図１１に示す特図変動パターン判定テーブルのうち特図２且つ低確非時短状態且つ大当たりに該当する部分）を参照して、変動パターン乱数カウンタ値（ラベル−ＴＲＮＤ−Ｔ１の値）に基づいて変動パターンを選択する(S1704)。
【０１８２】
またステップS1703において、第２大当たりフラグがＯＮでなければ(S1703でNO)、続いて、小当たりフラグがＯＮか否かを判定する(S1705)。ＯＮであれば(S1705でYES)、低確非時短状態中小当たりテーブル（図１１に示す特図変動パターン判定テーブルのうち特図２且つ低確非時短状態且つ小当たりに該当する部分）を参照して、変動パターン乱数カウンタ値（ラベル−ＴＲＮＤ−Ｔ１の値）に基づいて変動パターンを選択する(S1706)。
【０１８３】
一方、小当たりフラグがＯＮでなければ(S1705でNO)、低確非時短状態中ハズレテーブル（図１１に示す特図変動パターン判定テーブルのうち特図２且つ低確非時短状態且つハズレに該当する部分）を参照して、変動パターン乱数カウンタ値（ラベル−ＴＲＮＤ−Ｔ１の値）に基づいて変動パターンを選択する(S1707)。
【０１８４】
ここで本形態のパチンコ遊技機ＰＹ１では、図１１に示すように、低確非時短状態における特図２の変動パターン判定テーブルと、高確非時短状態における特図２の変動パターンテーブルとを別個に備えている。そして、低確非時短状態における特図２の変動パターン判定テーブルを用いる場合、６０００００ｍｓという極めて長い変動時間になる変動パターンＰ２１，Ｐ２２，Ｐ２３が選択されるようにしている。これにより、低確非時短状態において、遊技者が右打ちを行って、第３始動口２０に入球しても、第２特別図柄の抽選結果を１０分という極めて長い間得ることができない。よって、低確非時短状態において右打ちという意図しない遊技が行われるのを回避することが可能である。
【０１８５】
またステップS1702にて、高確率状態と判定すれば(S1702でYES)、高確非時短状態であることになり、図２９に示すように、第２大当たりフラグがＯＮか否かを判定する(S1708)。ＯＮであれば(S1708でYES)、高確非時短状態中大当たりテーブル（図１１に示す特図変動パターン判定テーブルのうち特図２且つ高確非時短状態且つ大当たりに該当する部分）を参照して、変動パターン乱数カウンタ値（ラベル−ＴＲＮＤ−Ｔ１の値）に基づいて変動パターンを選択する(S1709)。
【０１８６】
またステップS1708において、第２大当たりフラグがＯＮでなければ(S1708でNO)、続いて、小当たりフラグがＯＮか否かを判定する(S1710)。ＯＮであれば(S1710でYES)、高確非時短状態中小当たりテーブル（図１１に示す特図変動パターン判定テーブルのうち特図２且つ高確非時短状態且つ小当たりに該当する部分）を参照して、変動パターン乱数カウンタ値（ラベル−ＴＲＮＤ−Ｔ１の値）に基づいて変動パターンを選択する(S1711)。
【０１８７】
またステップS1710において、小当たりフラグがＯＮでなければ(S1710でNO)、続いて、リーチ乱数カウンタ値（ラベル−ＴＲＮＤ−ＲＣの値）がリーチ成立乱数値か否かを判定する(S1712)。リーチ乱数カウンタ値がリーチ成立乱数値である場合(S1712でYES)、即ち、リーチ有りの場合には、高確非時短状態中リーチ有りハズレテーブル（図１１に示す特図変動パターン判定テーブルのうち特図２且つ高確非時短状態且つリーチ有りハズレに該当する部分）を参照して、変動パターン乱数カウンタ値に基づいて変動パターンを選択する(S1713)。
【０１８８】
一方、リーチ乱数カウンタ値がリーチ成立乱数値でない場合(S1712でNO)、即ち、リーチ無しの場合には、高確非時短状態中リーチ無しハズレテーブル（図１１に示す特図変動パターン判定テーブルのうち特図２且つ高確非時短状態且つリーチ無しハズレに該当する部分）を参照して、変動パターン乱数カウンタ値に基づいて変動パターンを選択する(S1714)。
【０１８９】
また図２８に示すステップS1701において、遊技状態が時短状態であると判定した場合(S1701でYES)には、図３０に示すように、参照する特図変動パターン判定テーブルを時短状態中のテーブル（図１１に示す特図変動パターン判定テーブルのうち時短状態に該当する部分）にする事以外は上記ステップS1708〜S1714と同様の流れで処理(S1715〜S1721)を行う。すなわち、第２大当たりフラグがＯＮであれば(S1715でYES)、時短状態中大当たりテーブル（図１１の特図２且つ時短状態且つ大当たりに該当する部分）を参照して、変動パターン乱数カウンタ値に基づいて変動パターンを選択する(S1716)。
【０１９０】
また小当たりフラグがＯＮであれば(S1717でYES)、時短状態中小当たりテーブル（図１１の特図２且つ時短状態且つ小当たりに該当する部分）を参照して、変動パターン乱数カウンタ値に基づいて変動パターンを選択する(S1718)。またリーチ乱数カウンタ値がリーチ成立乱数値であれば(S1719でYES)、時短状態中リーチ有りハズレテーブル（図１１の特図２且つ時短状態且つリーチ有りハズレに該当する部分）を参照して、変動パターン乱数カウンタ値に基づいて変動パターンを選択する(S1720)。
【０１９１】
またリーチ乱数カウンタ値がリーチ成立乱数値でなければ(S1719でNO)、時短状態中リーチ無しハズレテーブル（図１１の特図２且つ時短状態且つリーチ無しハズレに該当する部分）を参照して、変動パターン乱数カウンタ値に基づいて変動パターンを選択する(S1721)。ここで図１０（Ｂ）に示すように、リーチ成立乱数値は時短状態であれば「１」〜「１０」であり、非時短状態であれば「１」〜「３０」である。すなわち、時短状態の方が非時短状態よりも変動演出でリーチがかかりにくくなっている。これは、時短状態において変動時間の短いリーチ無しがより多く選択されようにすることで、特図保留の消化スピードを早めるためである。
【０１９２】
上記のようにして変動パターンの選択を行った後は、図２８に示すように、選択した変動パターンをセットして(S1722)、本処理を終える。ステップS1722でセットした変動パターンの情報は、第２特別図柄待機処理(S1103)におけるステップS1507でセットされる特図２変動開始コマンドに含められる。
【０１９３】
［遊技状態管理処理］第１特別図柄待機処理(S1003)における遊技状態管理処理(S1204)と、第２特別図柄待機処理(S1103)における遊技状態管理処理(S1504)とをまとめて説明する。本形態では、遊技状態管理処理(S1204,S1504)が、特図１大当たり判定処理(S1202)，特図２大当たり判定処理(S1502)の直後に実行されて、第１特別図柄変動中処理(S1005)，第２特別図柄変動中処理(S1105)よりも前に実行される。
【０１９４】
図３１に示すように、遊技状態管理処理(S1204,S1504)ではまず、高確率状態中を示す確変フラグがＯＮか否か判定する(S2001)。ＯＮであれば(S2201でYES)、高確率状態中に実行した特図の変動回数をカウントする確変カウンタの値を１ディクリメントするとともに(S2002)、確変カウンタの値が「０」か否か判定する(S2003)。「０」であれば(S2003でYES)、確変フラグをＯＦＦする(S2004)。ステップS2001又はS2003の判定結果がNOであれば、ステップS2005に進む。なお本パチンコ遊技機ＰＹ１では後述するように、高確率状態への移行時には確変カウンタの値が「１００００」にセットされるため、実質的にはステップS2003で確変カウンタの値が「０」であると判定されることはほぼ無い。
【０１９５】
続いて、時短状態中を示す時短フラグがＯＮか否か判定する(S2005)。ＯＮであれば(S2005でYES)、時短状態中に実行した特図の変動回数をカウントする時短カウンタの値を１ディクリメントするとともに(S2006)、時短カウンタの値が「０」か否か判定する(S2007)。「０」であれば(S2007でYES)、時短フラグをＯＦＦする(S2008)。これにより時短状態から非時短状態に移行することになる。ステップS2005又はS2007の判定結果がNOであれば、ステップS2209に進む。なお本パチンコ遊技機ＰＹ１では後述するように、時短状態への移行時には時短カウンタの値が「１００００」又は「１００」或いは「５０」にセットされるようになっている。
【０１９６】
ステップS2009では、遊技制御用マイコン１０１は、現在の遊技状態の情報、セットした確変カウンタの値、時短カウンタの値の情報等を含む遊技状態指定コマンドを遊技用ＲＡＭ１０４の出力バッファにセットして、本処理を終える。
【０１９７】
［第１特別図柄変動中処理］図３２に示すように、第１特別図柄変動中処理(S1005)ではまず、特図１変動時間タイマにセットされている値（特図１の変動時間）を減算する(S1801)。そして特図１の変動時間が経過したか、即ち特図１変動時間タイマにセットされている値が「０」になったか否かを判定する(S1802)。「０」でなければ(S1802でNO)、第１特図表示器８１ａで第１特別図柄が変動表示し続けることになり、本処理を終える。一方、「０」であれば(S1802でYES)、特図１変動停止コマンドをセットするとともに(S1803)、第１特別動作ステータスを「３」にセットする(S1804)。そして、第１特別図柄の変動表示を、セットされている特図停止図柄データに応じた図柄（大当たり図柄又はハズレ図柄）で停止させて(S1805)、この処理を終える。
【０１９８】
本形態では、特図１の変動表示中に、特図２の抽選に基づく小当たり遊技が実行される場合がある。この場合、第２特別動作ステータスが「５」になることで、図２０に示すステップS1001でYESと判定されることになる。これにより、第１特別動作ステータスは「２」であるにも拘わらず、第１特別図柄変動中処理(S1005)が実行されない。つまり、図３２に示すステップS1801で、特図１変動時間タイマの値が減算されないことになる。その後、特図２の抽選に基づく小当たり遊技が終了すると、第２特別動作ステータスが「１」になる（図３７のステップS2513参照）。その結果、第１特別図柄変動中処理(S1005)が再開され、図３２に示すステップS1801で、特図１変動時間タイマの値が減算される。このようにして、特図１の変動表示中に特図２の抽選に基づく小当たり遊技が実行されると、特図１の変動表示は継続されるものの、その小当たり遊技の実行時間だけ延長することになる。
【０１９９】
［第２特別図柄変動中処理］図３３に示すように、第２特別図柄変動中処理(S1105)ではまず、特図２変動時間タイマにセットされている値（特図２の変動時間）を減算する(S1901)。そして特図２の変動時間が経過したか、即ち特図２変動時間タイマにセットされている値が「０」になったか否かを判定する(S1902)。「０」でなければ(S1902でNO)、第２特図表示器８１ｂで第２特別図柄が変動表示し続けることになり、本処理を終える。一方、「０」であれば(S1902でYES)、特図２変動停止コマンドをセットするとともに(S1903)、第２特別動作ステータスを「３」にセットする(S1904)。そして、第２特別図柄の変動表示を、セットされている特図停止図柄データに応じた図柄（大当たり図柄又は小当たり図柄或いはハズレ図柄）で停止させて(S1905)、この処理を終える。
【０２００】
［第１特別図柄確定処理］図３４に示すように、第１特別図柄確定処理(S1007)ではまず、第１特別図柄の停止時間が経過したか否かを判定する(S2101)。経過していなければ(S2101でNO)、直ちにこの処理を終える。一方、停止時間が経過していれば(S2101でYES)、ステップS2102に進む。
【０２０１】
ステップS2102では、第１大当たりフラグがＯＮであるか否かを判定する。ＯＮであれば(S2102でYES)、第１特別動作ステータスを「４」にセットする(S2103)。そして、遊技制御用マイコン１０１は、後述の特図２強制停止処理を行うとともに(S2104)、後述の遊技状態リセット処理を行う(S2105)。その後、大当たり遊技を開始するべく、大当たりのオープニングコマンドをセットして(S2106)、大当たり遊技のオープニングを開始する(S2107)。
【０２０２】
ステップS2107に続いて、遊技制御用マイコン１０１は、当選した大当たりの種類に応じた開放パターン（詳しくは図８を参照）をセットして(S2108)、本処理を終える。なおこのときに、大当たり遊技中の大入賞口１４の開放回数をカウントする大入賞口開放カウンタの値を、当選した大当たりの種類に応じた値にセットする。
【０２０３】
一方、ステップS2102において第１大当たりフラグがＯＮでなければ(S2102でNO)、特図１の抽選に基づく大当たり遊技を開始しないため、第１特別動作ステータスを「１」にセットして(S2109)、本処理を終える。
【０２０４】
［特図２強制停止処理］特図２強制停止処理(S2104)は、特図２の変動表示中に、特図１の抽選に基づく大当たり遊技を開始する場合に、特図２の変動表示を強制的に終了させるための処理である。図３５に示すように、特図２強制停止処理(S2104)ではまず、第２特別動作ステータスが「２」であるか否かを判定する(S2301)。「２」でなければ(S2301でNO)、特図２の変動表示中でないため、本処理を終える。これに対して「２」であれば(S2301でYES)、遊技制御用マイコン１０１は、特図２変動停止コマンドを遊技用ＲＡＭ１０４の出力バッファにセットする(S2302)。続いて、変動表示中の第２特別図柄を強制的に停止表示する(S2303)。これにより、第２特図表示器８１ｂには、ハズレであることを示す第２特別図柄が停止表示される。そして、第２特別動作ステータスを「１」にセットして(S2304)、本処理を終える。
【０２０５】
［遊技状態リセット処理］図３６に示すように、遊技状態リセット処理(S2105)ではまず、確変フラグがＯＮか否かを判定し(S2401)、ＯＮであれば確変フラグをＯＦＦする(S2402)。また、時短フラグがＯＮか否かを判定し(S2403)、ＯＮであれば時短フラグをＯＦＦする(S2404)。つまり、大当たり遊技の実行中は、通常確率状態且つ非時短状態（通常遊技状態、低確非時短状態）に制御される。そして、確変カウンタの値を「０」にリセットする(S2405)。続いて、時短カウンタの値を「０」にリセットして(S2406)、本処理を終える。
【０２０６】
［第２特別図柄確定処理］図３７に示すように、第２特別図柄確定処理(S1107)ではまず、第２特別図柄の停止時間が経過したか否かを判定する(S2501)。経過していなければ(S2501でNO)、直ちにこの処理を終える。一方、停止時間が経過していれば(S2501でYES)、ステップS2502に進む。
【０２０７】
ステップS2502では、第２大当たりフラグがＯＮであるか否かを判定する。第２大当たりフラグがＯＮであれば(S2502でYES)、第２特別動作ステータスを「４」にセットする(S2503)。そして、遊技制御用マイコン１０１は、後述の特図１強制停止処理を行うとともに(S2504)、遊技状態リセット処理を行う(S2505)。遊技状態リセット処理(S2505)は、図３６に基づいて既に説明した通りであるため、説明を省略する。その後、大当たり遊技を開始するべく、大当たりのオープニングコマンドをセットして(S2506)、大当たり遊技のオープニングを開始する(S2507)。
【０２０８】
ステップS2507に続いて、遊技制御用マイコン１０１は、当選した大当たりの種類に応じた開放パターン（詳しくは図８を参照）をセットして(S2508)、本処理を終える。なおこのときに、大当たり遊技中の大入賞口１４の開放回数をカウントする大入賞口開放カウンタの値を、当選した大当たりの種類に応じた値にセットする。
【０２０９】
一方、ステップS2502において第２大当たりフラグがＯＮでなければ(S2502でNO)、第小当たりフラグがＯＮであるか否かを判定する(S2509)。小当たりフラグがＯＮであれば(S2509でYES)、第２特別動作ステータスを「５」にセットする(S2510)。そして、遊技制御用マイコン１０１は、小当たり遊技を開始するべく、小当たり遊技のオープニングを開始する(S2511)。続いて、小当たり当選に基づく開放パターン（図８参照）をセットして(S2512)、本処理を終える。
【０２１０】
また、第２大当たりフラグ及び小当たりフラグが共にＯＮでなければ(S2502及びS2509で共にNO)、特図２の抽選に基づく大当たり遊技及び小当たり遊技を開始しないため、第２特別動作ステータスを「１」にセットして(S2513)、本処理を終える。
【０２１１】
［特図１強制停止処理］特図１強制停止処理(S2504)は、特図１の変動表示中に、特図２の抽選に基づく大当たり遊技を開始する場合に、特図１の変動表示を強制的に終了させるための処理である。図３８に示すように、特図１強制停止処理(S2504)ではまず、第１特別動作ステータスが「２」であるか否かを判定する(S2601)。「２」でなければ(S2601でNO)、特図１の変動表示中でないため、本処理を終える。これに対して「２」であれば(S2601でYES)、遊技制御用マイコン１０１は、特図１変動停止コマンドを遊技用ＲＡＭ１０４の出力バッファにセットする(S2602)。続いて、変動表示中の第１特別図柄を強制的に停止表示する(S2603)。これにより、第１特図表示器８１ａには、ハズレを示す第１特別図柄が停止表示される。そして、第１特別動作ステータスを「１」にセットして(S2604)、本処理を終える。
【０２１２】
［特別電動役物処理１（大当たり遊技）］特別電動役物処理１は、大当たり遊技の実行のための処理である。以下では、特図１の抽選に基づく大当たり遊技の実行のための特別電動役物処理１(S1009)と、特図２の抽選に基づく大当たり遊技の実行のための特別電動役物処理１(S1109)とをまとめて説明する。図３９に示すように、特別電動役物処理１(S1009又はS1109)ではまず、大当たり終了フラグがＯＮであるか否かを判定する(S2701)。大当たり終了フラグは、実行中の大当たり遊技において大入賞装置(大入賞装置１４Ｄ)の開放が全て終了したことを示すフラグである。
【０２１３】
大当たり終了フラグがＯＮでなければ(S2701でNO)、大入賞口１４の開放中か否か（すなわち大入賞装置１４Ｄの開放中か否か）を判定する(S2702)。開放中でなければ(S2702でNO)、大入賞口１４を開放させる時間に至ったか否か、すなわち大当たりのオープニングの時間が経過して大入賞口１４の開放を開始する時間に至ったか、又は、開放間のインターバルの時間が経過して次の開放を開始する時間に至ったか否かを判定する(S2703)。
【０２１４】
ステップS2703の判定結果がNOであれば、そのまま処理を終える。一方、ステップS2703の判定結果がYESであれば、現在実行中の大当たり遊技が確変大当たり（図８参照）としての大当たり遊技か否かを判定する(S2704)。確変大当たりでなければ(S2704でNO)、ステップS2707に進むが、確変大当たりであれば(S2704でYES)、特定領域１６への通過が可能な９Ｒ目を開始するタイミングであるか否かを判定する(S2705)。９Ｒ目を開始するタイミングでなければ(S2705でNO)、そのままステップS2707に進む。これに対して、９Ｒ目を開始するタイミングであれば(S2705でYES)、Ｖ有効期間設定処理を行う(S2706)。
【０２１５】
Ｖ有効期間設定処理(S2706)では、確変大当たりの９Ｒ目における大入賞口１４の開放中及び大入賞口１４の閉塞後の数秒間を、特定領域センサ１６ａによる遊技球の検知を有効と判定するＶ有効期間に設定する。なお本形態ではこれ以外の期間（大当たり遊技を実行していないときも含む）を、特定領域センサ１６ａによる遊技球の検知を無効と判定するＶ無効期間に設定している。ここで、特定領域センサ１６ａによる遊技球の検知を有効と判定するというのは、特定領域センサ１６ａによる遊技球の検知に基づいてＶフラグをＯＮする（後述の特定領域センサ検出処理（図４２）参照）ということである。また、特定領域センサ１６ａによる遊技球の検知を無効と判定するというのは、特定領域センサ１６ａによる遊技球の検知があってもＶフラグをＯＮしないということである。なお、Ｖ有効期間に大入賞口１４の閉塞後の数秒間を含めているのは、大入賞口１４の閉塞直前に大入賞口１４へ遊技球が入賞することがあるのを考慮したものである。
【０２１６】
すなわち本形態では、Ｖ有効期間中のＶ通過（特定領域１６への遊技球の通過）の検知時のみＶフラグをＯＮし、Ｖ有効期間外（Ｖ無効期間中）のＶ通過検知時にはＶフラグをＯＮしないこととしている。なお、ＶフラグがＯＮである場合には、確変フラグがＯＮされる、即ち大当たり遊技後の遊技状態が高確率状態に設定される（後述の遊技状態設定処理（図４０参照））。このようにすることで、不正行為によるＶ通過に基づいてＶフラグがＯＮされることのないように、すなわち高確率状態に設定されることのないようにしている。
【０２１７】
ステップS2707では、大当たりの種類に応じた開放パターン（図８参照）に従って大入賞口（大入賞口１４）を開放させる。なお、振分部材１６ｋは、第１ラウンドのラウンド遊技の開始から常に一定の動作で動いている。確変大当たりの開放パターン（Ｖロング開放パターン）では、第９ラウンドにおいて、大入賞口１４に入賞した遊技球が余裕をもって特定領域１６を通過できるようにＡＴ開閉部材１４ｋが開放される。これに対して、通常大当たりの開放パターン（Ｖショート開放パターン）では、第９ラウンドにおいて、大入賞口１４に入賞することがほぼできないようにＡＴ開閉部材１４ｋが開放される。また、Ｖショート開放パターンにおいては、仮に遊技球が大入賞口１４に入賞できたとしても特定領域１６を通過することができないように、振分部材１６ｋの動作に対するＡＴ開閉部材１４ｋの開放タイミングが設定されている。
【０２１８】
続いてステップS2708では、ラウンド指定コマンド送信判定処理を行って、本処理を終える。ラウンド指定コマンド送信判定処理(S2708)では、ステップS2703での大入賞口１４の開放が１回のラウンド遊技での初めての開放か否かを判定し、そうであれば、実行中の大当たり遊技のラウンド数の情報を含むラウンド指定コマンドを、遊技用ＲＡＭ１０４の出力バッファにセットする。なお本形態では、１回のラウンド遊技中に複数回の大入賞口１４の開放がなされることはない。そのため、このステップS2708では、必ずラウンド指定コマンドがセットされることとなる。
【０２１９】
特別電動役物処理１(S1009又はS1109)のステップS2702において、大入賞口１４の開放中であれば、大入賞口１４の閉鎖条件が成立しているか否かを判定する(S2709)。本形態では、閉鎖条件は、そのラウンド遊技における大入賞口１４への入賞個数が規定の最大入賞個数（本形態では１Ｒ当たり８個）に達したこと、又は、大入賞口１４を閉鎖させる時間に至ったこと（すなわち大入賞口１４を開放してから所定の開放時間（図８参照）が経過したこと）のいずれかが満たされていることである。そして、大入賞口１４の閉鎖条件が成立していなければ(S2709でNO)、処理を終える。
【０２２０】
これに対して、大入賞口１４の閉鎖条件が成立している場合(S2709でYES)には、大入賞口１４を閉鎖（閉塞）する(S2710)。そして１回のラウンド遊技（ラウンドインターバル）が終了したかを判定する(S2711)。終了していなければ(S2711でNO)、処理を終える。一方、ラウンド遊技が終了する場合には(S2711でYES)、ラウンドカウンタの値を１ディクリメントし(S2712)、ラウンドカウンタの値が「０」であるか否か判定する(S2713)。「０」でなければ(S2713でNO)、次のラウンド遊技を開始するためにそのまま処理を終える。
【０２２１】
一方「０」であれば(S2713でYES)、大当たり遊技を終了させる大当たり終了処理として、大当たりのエンディングコマンドをセットするとともに(S2714)、大当たりのエンディングを開始する(S2715)。そして、大当たり終了フラグをセットして(S2716)、処理を終える。
【０２２２】
またステップS2701において大当たり終了フラグがＯＮであれば(S2701でYES)、最終ラウンドが終了しているので、大当たり遊技のエンディング時間が経過したか否かを判定し(S2717)、エンディング時間が経過していなければ(S2717でNO)、本処理を終える。一方、エンディング時間が経過していれば(S2717でYES)、大当たり終了フラグをＯＦＦする(S2718)。そして、後述する遊技状態設定処理を行う(S2719)。続いて、特図１の抽選に基づく大当たり遊技の終了であれば第１大当たりフラグをＯＦＦし、特図２の抽選に基づく大当たり遊技の終了であれば第２大当たりフラグをＯＦＦする(S2720)。その後、特図１の抽選に基づく大当たり遊技の終了であれば第１特別動作ステータスを「１」にセットし、特図２の抽選に基づく大当たり遊技の終了であれば第２特別動作ステータスを「１」にセットして(S2721)、本処理を終える。こうして特図１の抽選に基づく大当たり遊技の実行で、第１特別動作ステータスが「４」にセットされている間は、図２１に示す第２特別動作処理(S107)における各処理S1103,S1105,S1107,S1109,S1110が実行されない。また、特図２の抽選に基づく大当たり遊技の実行で、第２特別動作ステータスが「４」にセットされている間は、図２０に示す第１特別動作処理(S106)における各処理S1003,S1005,S1007,S1009が実行されないことになる。
【０２２３】
［遊技状態設定処理］遊技状態設定処理(S2716)は、当選した大当たり（大当たり図柄）の種類に基づいて（図８参照）、大当たり遊技後の遊技状態を、高確時短状態、高確非時短状態、低確時短状態、又は通常遊技状態に制御するための処理である。図４０に示すように、遊技状態設定処理(S2716)ではまず、ＶフラグがＯＮであるか（Ｖ有効期間中にＶ入賞したか）を判定する(S2801)。ＯＮであれば(S2801でYES)、確変フラグをＯＮにすると共に(S2802)、確変カウンタに「１００００」をセットする。これにより、実質的に次回の大当たりに当選するまで高確率状態が継続することになる。そして、ＶフラグをＯＦＦにして(S2804)、ステップS2805に進む。一方、ＶフラグがＯＮでない場合には(S2801でNO)、確変フラグをＯＮすることなく、ステップS2805に進む。
【０２２４】
ステップS2805では、確変大当たり１又は確変大当たり４（図８参照）であるか否かを判定する。確変大当たり１又は確変大当たり４であれば(S2805でYES)、時短フラグをＯＮにする(S2806)。そして、時短カウンタに「１００」をセットして(S2807)、ステップS2817に進む。こうして、確変大当たり１又は確変大当たり４に当選して、Ｖ入賞した場合には、大当たり遊技後に時短回数が１００回に設定される高確時短状態に移行することになる。一方、Ｖ入賞しないイレギュラーな場合には、時短回数が１００回に設定される低確時短状態に移行する。
【０２２５】
ステップS2805でNOと判定された場合、ステップS2808に進む。ステップS2808では、確変大当たり３（図８参照）であるか否かを判定する。確変大当たり３であれば(S2808でYES)、時短フラグをＯＮにする(S2809)。そして、時短カウンタに「５０」をセットして(S2810)、ステップS2817に進む。こうして、確変大当たり３に当選して、Ｖ入賞した場合には、大当たり遊技後に時短回数が５０回に設定される高確時短状態に移行することなる。一方、Ｖ入賞しないイレギュラーな場合には、時短回数が５０回に設定される低確時短状態に移行する。
【０２２６】
ステップS2808でNOと判定された場合、ステップS2811に進む。ステップS2811では、確変大当たり５（図８参照）であるか否かを判定する。確変大当たり５であれば(S2811でYES)、時短フラグをＯＮにする(S2812)。そして、時短カウンタに「１００００」をセットして(S2813)、ステップS2817に進む。こうして、確変大当たり３に当選して、Ｖ入賞した場合には、実質的に次回の大当たりに当選するまで時短状態が継続する高確時短状態に移行することなる。一方、Ｖ入賞しないイレギュラーな場合には、実質的に次回の大当たりに当選するまで時短状態が継続する低確時短状態に移行する。
【０２２７】
ステップS2811でNOと判定された場合、ステップS2814に進む。ステップS2814では、通常大当たり（図８参照）であるか否かを判定する。通常大当たりであれば(S2814でYES)、時短フラグをＯＮにする(S2815)。そして、時短カウンタに「５０」をセットして(S2816)、ステップS2817に進む。こうして、通常大当たりに当選した場合には、時短回数が５０回に設定される低確時短状態に移行することになる。
【０２２８】
ステップS2814でNOと判定された場合、確変大当たり２（図８参照）に当選していることになる。この場合、時短フラグをＯＮにすることなく、ステップS2817に進む。こうして、確変大当たり２に選して、Ｖ入賞した場合には、大当たり遊技後に高確非時短状態に移行することなる。一方、Ｖ入賞しないイレギュラーな場合には、通常遊技状態（低確非時短状態）に移行する。
【０２２９】
ステップS2817では、遊技制御用マイコン１０１は、今設定した遊技状態の情報（確変フラグのＯＮ又はＯＦＦ、時短フラグのＯＮ又はＯＦＦ、確変カウンタの値、時短カウンタの値の情報）を含む遊技状態指定コマンドを遊技用ＲＡＭ１０４の出力バッファにセットする。こうして遊技状態設定処理(S2719)を終える。
【０２３０】
［特別電動役物処理２（小当たり遊技）］特別電動役物処理２は、小当たり遊技の実行のための処理である。図４１に示すように、特別電動役物処理２(S1110)ではまず、小当たり終了フラグがＯＮであるか否かを判定する(S2901)。小当たり終了フラグは、実行中の小当たり遊技において大入賞装置（大入賞装置１４Ｄ）の開放が全て終了したことを示すフラグである。
【０２３１】
小当たり終了フラグがＯＮでなければ(S2901でNO)、大入賞口１４の開放中か否か（すなわち大入賞装置１４Ｄの開放中か否か）を判定する(S2902)。開放中でなければ(S2902でNO)、大入賞口１４を開放させる時間に至ったか否か、すなわち所定の開放前インターバル時間が経過して大入賞口１４の開放を開始する時間に至ったか否かを判定する(S2903)。本形態では開放前インターバル時間（ＯＰ時間）は「０.００４秒」であり（図８参照）、極めて短い時間に設定している。
【０２３２】
ステップS2903の判定結果がNOであれば、そのまま処理を終える。一方、ステップS2903の判定結果がYESであれば、所定の開放パターン（図８の小当たりの欄参照）に従って大入賞口１４を開放させる（S2904）。
【０２３３】
ステップS2902において大入賞口１４の開放中であれば(S2902でYES)、大入賞口１４への入賞個数が規定の最大入賞個数（本形態では３個）に達しているか否かを判定する(S2905)。規定入賞個数に達していなければ(S2905でNO)、大入賞口１４の開放時間が経過したか否か（すなわち大入賞口１４を開放してから所定の開放時間（本形態では１．６秒）が経過したか否か）を判定する(S2906)。そして、大入賞口１４の開放時間が経過していなければ(S2906でNO)、処理を終える。
【０２３４】
これに対して、規定入賞個数に達している場合(S2905でYES)又は大入賞口１４の開放時間が経過した場合(S2906でYES)、すなわち２つの開放終了条件のうちのいずれかが満たされている場合には、大入賞口１４を閉鎖（閉塞）する(S2907)。そして、小当たり終了フラグをセットして(S2908)処理を終える。
【０２３５】
またステップS2901において小当たり終了フラグがＯＮであれば(S2901でYES)、小当たり遊技における大入賞口１４の閉鎖後の所定時間（閉鎖後インターバル時間）が経過したか否かを判定し(S2909)、閉鎖後インターバル時間が経過していなければ(S2909でNO)処理を終える。本形態では閉鎖後インターバル時間（ＥＤ時間）は、「０.３秒」であり（図８参照）、極めて短い時間に設定している。なおＥＤ時間を、大入賞装置１４Ｄ内へ入賞した遊技球が当該大入賞装置１４Ｄ外へ排出されるのを確認可能な時間（１０００ｍｓ程度の短時間）としても良い。
【０２３６】
一方、閉鎖後インターバル時間が経過していれば(S2909でYES)、小当たり終了フラグをＯＦＦする(S2910)。また小当たりフラグをＯＦＦする(S2911)。そして、第２特別動作ステータスを「１」にセットして(S2912)、本処理を終える。こうして特図２の抽選に基づく小当たり遊技の実行で、第２特別動作ステータスが「５」にセットされている間は、図２０に示す第１特別動作処理(S106)における各処理S1003,S1005,S1007,S1009が実行されないことになる。
【０２３７】
ここで特別電動役物処理２(S1110)では、振分部材１６ｋは、大入賞口１４に入賞した遊技球が特定領域１６を通過しないように動作している。また上述した特別電動役物処理１(S1009,S1109)と異なり、Ｖ有効期間が設定されることはない。従って、小当たり遊技後の実行中に、遊技球が特定領域１６を通過することがなく、万一遊技球が特定領域１６を通過したとしても、Ｖ有効期間が設定されていないため、ＶフラグがＯＮされることはない。以上により、小当たり遊技を契機として、高確率状態に移行することはないように設定している。
【０２３８】
［特定領域センサ検出処理］遊技制御用マイコン１０１は、図１７に示すように、第１特別動作処理（S106）及び第２特別動作処理(S107)に次いで、特定領域センサ検出処理を行う(S108)。特定領域センサ検出処理(S108)では、図４２に示すように、まず特定領域センサ１６ａによる遊技球の検知があったか否かを判定する(S3001)。なお本形態では、特定領域センサ３９ａによる遊技球の検知は、振分部材１６ｋが図４（Ａ）に示す第１状態に制御されているときのみなされる。ステップS3001にて検知がなければ(S3001でNO)、本処理を終えるが、検知があれば(S3001でYES)、Ｖ有効期間中か否かを判定する(S3002)。Ｖ有効期間中でなければ(S3002でNO)、本処理を終える。一方、Ｖ有効期間中であれば(S3002でYES)、ＶフラグをＯＮする(S3003)。そして、Ｖ通過コマンドを遊技用ＲＡＭ１０４の出力バッファにセットして(S3004)、本処理を終える。Ｖ通過コマンドは、演出制御基板１２０にＶ通過の報知を行わせるためのコマンドである。
【０２３９】
９．演出制御用マイコン１２１の動作
［サブ制御メイン処理］次に図４３〜図４８に基づいて演出制御用マイコン１２１の動作について説明する。なお、演出制御用マイコン１２１の動作説明にて登場するカウンタ、タイマ、フラグ、ステータス、バッファ等は、演出用ＲＡＭ１２４に設けられている。演出制御基板１２０に備えられた演出制御用マイコン１２１は、パチンコ遊技機ＰＹ１の電源がオンされると、演出用ＲＯＭ１２３から図４３に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、演出用ＣＰＵ１２２の設定、ＳＩＯ、ＰＩＯ、ＣＴＣ（割り込み時間の管理のための回路）等の設定等を行う。
【０２４０】
続いて、電源断信号がＯＮで且つ演出用ＲＡＭ１２４の内容が正常であるか否かを判定する(S4002)。そしてこの判定結果がNOであれば、演出用ＲＡＭ１２４の初期化をして(S4003)、ステップS4004に進む。一方、判定結果がYESであれば(S4002でYES)、演出用ＲＡＭ１２４の初期化をせずにステップS4004に進む。すなわち、電源断信号がＯＮでない場合、又は電源断信号がＯＮであっても演出用ＲＡＭ１２４内容が正常でない場合には(S4002でNO)、演出用ＲＡＭ１２４を初期化するが、停電などで電源断信号がＯＮとなったが演出用ＲＡＭ１２４の内容が正常に保たれている場合には(S4002でYES)、演出用ＲＡＭ１２４を初期化しない。なお、演出用ＲＡＭ１２４を初期化すれば、各種のフラグ、ステータス及びカウンタ等の値はリセットされる。また、このステップS4001〜S4003は、電源投入後に一度だけ実行され、それ以降は実行されない。
【０２４１】
ステップS4004では、割り込みを禁止する。次いで、乱数シード更新処理を実行する(S4005)。乱数シード更新処理(S4005)では、種々の演出決定用乱数カウンタの値を更新する。なお、演出決定用乱数には、演出図柄を決定するための演出図柄決定用乱数、変動演出パターンを決定するための変動演出パターン決定用乱数、種々の予告演出を決定するための予告演出決定用乱数等がある。乱数の更新方法は、前述の遊技制御基板１００が行う乱数更新処理と同様の方法をとることができる。更新に際して乱数値を１ずつ加算するのではなく、２ずつ加算するなどしてもよい。これは、前述の遊技制御基板１００が行う乱数更新処理においても同様である。
【０２４２】
乱数シード更新処理(S4005)が終了すると、コマンド送信処理を実行する(S4006)。コマンド送信処理(S4006)では、演出制御基板１２０の演出用ＲＡＭ１２４内の出力バッファに格納されている各種のコマンドを、画像制御基板１４０に送信する。コマンドを受信した画像制御基板１４０は、コマンドに従い画像表示装置５０を用いて各種の演出（演出図柄変動演出や、大当たり遊技に伴うオープニング演出、ラウンド演出、エンディング演出等）を実行する。なお、画像制御基板１４０による各種の演出の実行に伴って演出制御基板１２０は、音声制御基板１６１を介してスピーカ６１０から音声を出力したり、サブドライブ基板１６２を介して盤ランプ５４や枠ランプ２１２を発光させたり、盤可動体５５ｋを駆動させたりする。演出制御用マイコン１２１は続いて、割り込みを許可する(S4007)。以降、ステップS4004〜S4007をループさせる。割り込み許可中においては、受信割り込み処理(S4008)、１ｍｓタイマ割り込み処理(S4009)、および１０ｍｓタイマ割り込み処理(S4010)の実行が可能となる。
【０２４３】
[受信割り込み処理]受信割り込み処理(S4008)は、ストローブ信号（ＳＴＢ信号）がＯＮになると、すなわち遊技制御基板１００から送られたストローブ信号が演出制御用マイコン１２１の外部ＩＮＴ入力部に入力されると、他の割り込み処理(S4009、S4010)に優先して実行される処理である。図４４に示すように、受信割り込み処理(S4008)では、遊技制御基板１００から送信されてきた各種のコマンドを演出用ＲＡＭ１２４の受信バッファに格納する(S4101)。
【０２４４】
［１ｍｓタイマ割り込み処理］１ｍｓタイマ割り込み処理(S4009)は、演出制御基板１２０に１ｍｓｅｃ周期の割り込みパルスが入力される度に実行される。図４５に示すように、１ｍｓタイマ割り込み処理(S4009)ではまず、入力処理(S4201)を行う。入力処理(S4201)では、演出ボタン検知センサ４０ａやセレクトボタン検知センサ４２ａ（図７参照）からの検知信号に基づいてスイッチデータ（エッジデータ及びレベルデータ）を作成する。
【０２４５】
続いて、ランプデータ出力処理(S4202)を行う。ランプデータ出力処理(S4202)では、演出に合うタイミングで盤ランプ５４や枠ランプ２１２を発光させるべく、後述の１０ｍｓタイマ割り込み処理におけるその他の処理(S4304)で作成したランプデータをサブドライブ基板１６２に出力する。つまり、ランプデータに従って盤ランプ５４や枠ランプ２１２を所定の発光態様で発光させる。
【０２４６】
次いで、駆動制御処理(S4203)を行う。駆動制御処理(S4203)では、演出に合うタイミングで盤可動体５５ｋを駆動させるべく、駆動データを作成したり、出力したりする。つまり、駆動データに従って、盤可動体５５ｋを所定の動作態様で駆動させる。そして、ウォッチドッグタイマのリセット設定を行うウォッチドッグタイマ処理(S4204)を行って、本処理を終える。
【０２４７】
［１０ｍｓタイマ割り込み処理］１０ｍｓタイマ割り込み処理(S4010)は、演出制御基板１２０に１０ｍｓｅｃ周期の割り込みパルスが入力される度に実行される。図４６に示すように、１０ｍｓタイマ割り込み処理(S4010)ではまず、後述する受信コマンド解析処理を行う(S4301)。次いで、１ｍｓタイマ割り込み処理で作成したスイッチデータを１０ｍｓタイマ割り込み処理用のスイッチデータとして演出用ＲＡＭ１２４に格納するスイッチ状態取得処理を行う(S4302)。続いて、スイッチ状態取得処理(S4302)にて格納したスイッチデータに基づいて表示画面５０ａの表示内容等を設定するスイッチ処理を行う(S4303)。
【０２４８】
その後、演出制御用マイコン１２１は、ランプデータ（盤ランプ５４や枠ランプ２１２の点灯を制御するデータ）を作成したり、音声データ（スピーカ６１０からの音声の出力を制御するデータ）の作成及び音声制御基板１６１への出力をしたり、各種の演出決定用乱数を更新したりするなどのその他の処理を実行する(S4304)。
【０２４９】
［受信コマンド解析処理］図４７に示すように、受信コマンド解析処理(S4301)ではまず、演出制御用マイコン１２１は、遊技制御基板１００から遊技状態指定コマンドを受信したか否かを判定し(S4401)、受信していればモードステータス設定処理を行う(S4402)。
【０２５０】
モードステータス設定処理(S4402)は、遊技状態への変更に伴って、演出モードの設定を変更するための処理である。演出制御用マイコン１２１は、モードステータスの値に応じて、演出モードを設定するようになっている。具体的に、演出制御用マイコン１２１は、遊技状態指定コマンドに含まれている遊技状態の情報に基づいて、モードステータスの値を「１」、「２」、「３」、又は「４」に設定する。より詳細には、初期設定の場合又は通常遊技状態に移行した場合に、モードステータスの値を「１」に設定する。この場合、昼モードに設定して、表示画面５０ａに図１４（Ａ）に示す昼背景画像Ｈ１を表示するための背景コマンドを演出用ＲＡＭ１２４にセットする。また大当たり遊技後に高確時短状態に移行した場合に、モードステータスの値を「２」に設定する。この場合、夜モードに設定して、表示画面５０ａに図１４（Ｂ）に示す夜背景画像Ｈ２を表示するための背景コマンドを演出用ＲＡＭ１２４にセットする。
【０２５１】
なお、高確時短状態に移行する場合であって、確変大当たり１又は確変大当たり４に当選している場合には、「宇宙モードまで残り１００回」の文字を示す移行条件示唆画像ＵＭ（図１５（Ａ）参照）を表示するための移行条件示唆コマンドを演出用ＲＡＭ１２４にセットする。これにより、画像制御基板１４０の画像用ＣＰＵ１４１は、表示画面５０ａに上記した移行条件示唆画像ＵＭを表示する。その結果、遊技者には、特別図柄の変動表示が１００回行われると、高確非時短状態に移行できると共に、高確率状態への移行が確定するのを把握させることが可能である。また、高確時短状態に移行する場合であって、確変大当たり３に当選している場合には、「宇宙モードまで残り５０回」の文字を示す移行条件示唆画像（図示省略）を表示するための移行条件示唆コマンドを演出用ＲＡＭ１２４にセットする。これにより、画像制御基板１４０の画像用ＣＰＵ１４１は、表示画面５０ａに上記した移行条件示唆画像を表示する。その結果、遊技者には、特別図柄の変動表示が５０回行われると、高確非時短状態に移行できると共に、高確率状態への移行が確定するのを把握させることが可能である。
【０２５２】
またモードステータス設定処理(S4402)において、大当たり遊技後に高確非時短状態に移行した場合に、モードステータスの値を「３」に設定する。この場合、宇宙モードに設定して、表示画面５０ａに図１４（Ｃ）に示す宇宙背景画像Ｈ３を表示するための背景コマンドを演出用ＲＡＭ１２４にセットする。更にこの場合には、「宇宙モード突入」の文字を示す移行達成画像ＵＴ（図１５（Ｄ）参照）を表示するための移行達成コマンドを演出用ＲＡＭ１２４にセットする。これにより、画像制御基板１４０の画像用ＣＰＵ１４１は、表示画面５０ａに上記した移行達成画像ＵＴを表示する。その結果、遊技者には、高確非時短状態に移行できたことを把握させると共に、高確率状態への移行を獲得できたことを把握させることが可能である。またこのときには、スピーカ６１０から「キュイーン」という特別音を出力するための音声データを音声制御基板１６１に出力する。これにより、音声制御基板１６１は、図示しない音声制御回路を介してスピーカ６１０から「キュイーン」という特別音を出力させる。その結果、遊技者には、視覚だけでなく聴覚によっても、高確率状態への移行を獲得できたことによる高揚感を与えることが可能である。
【０２５３】
またモードステータス設定処理(S4402)において、大当たり遊技後に低確時短状態に移行した場合に、モードステータスの値を「４」に設定する。この場合、空モードに設定して、表示画面５０ａに図１４（Ｄ）に示す空背景画像Ｈ４を表示するための背景コマンドを演出用ＲＡＭ１２４にセットする。なお夜背景画像Ｈ２、宇宙背景画像Ｈ３、空背景画像Ｈ４を表示するときには、右打ち画像Ｒａが併せて表示されることになる。
【０２５４】
続いて、演出制御用マイコン１２１は、遊技制御基板１００から変動開始コマンドを受信したか否か判定し(S4403)、受信していれば後述する変動演出開始処理を行う(S4404)。
【０２５５】
続いて、演出制御用マイコン１２１は、遊技制御基板１００から変動停止コマンドを受信したか否か判定し(S4405)、受信していれば変動演出終了処理を行う(S4406)。変動演出終了処理(S4406)では、変動停止コマンドを解析し、その解析結果に基づいて、変動演出を終了させるための変動演出終了コマンドを演出用ＲＡＭ１２４の出力バッファにセットする。
【０２５６】
続いて、演出制御用マイコン１２１は、遊技制御基板１００からオープニングコマンドを受信したか否か判定し(S4407)、受信していればオープニング演出選択処理を行う(S4408)。オープニング演出選択処理(S4408)では、オープニングコマンドを解析して、その解析結果に基づいて、大当たり遊技のオープニング中に実行するオープニング演出のパターン（内容）を選択する。そして、選択したオープニング演出パターンにてオープニング演出を開始するためのオープニング演出開始コマンドを演出用ＲＡＭ１２４の出力バッファにセットする。
【０２５７】
続いて、演出制御用マイコン１２１は、遊技制御基板１００からラウンド指定コマンドを受信したか否か判定し(S4409)、受信していればラウンド演出選択処理を行う(S4410)。ラウンド演出選択処理(S4410)では、ラウンド指定コマンドを解析して、その解析結果に基づいて、大当たり遊技のラウンド遊技中に実行するラウンド演出のパターン（内容）を選択する。そして、選択したラウンド演出パターンにてラウンド演出を開始するためのラウンド演出開始コマンドを演出用ＲＡＭ１２４の出力バッファにセットする。
【０２５８】
続いて、演出制御用マイコン１２１は、遊技制御基板１００からエンディングコマンドを受信したか否か判定し(S4411)、受信していればエンディング演出選択処理を行う(S14412)。エンディング演出選択処理(S4412)では、エンディングコマンドを解析して、その解析結果に基づいて、大当たり遊技のエンディング中に実行するエンディング演出のパターン（内容）を選択する。そして、選択したエンディング演出パターンにてエンディング演出を開始するためのエンディング演出開始コマンドを演出用ＲＡＭ１２４の出力バッファにセットする。
【０２５９】
続いて、演出制御用マイコン１２１は、遊技制御基板１００からＶ通過コマンドを受信したか否か判定し(S4413)、受信していればＶ通過報知演出開始処理を行う(S4414)。Ｖ通過報知演出開始処理(S4414)では、Ｖ通過報知演出を開始するためのＶ通過報知演出開始コマンドを演出用ＲＡＭ１２４の出力バッファにセットする。Ｖ通過報知演出とは、Ｖ通過（特定領域１６への通過）があったことを遊技者に報知するための演出である。本形態では、所定のＶ通過報知画像（例えば「Ｖ」の文字を示す文字画像）を表示画面５０ａに表示する演出である。なお、Ｖ通過報知演出は、特別の効果音をスピーカ６１０から出力するなど、他の態様であってもよい。
【０２６０】
続いて、演出制御用マイコン１２１は、その他の処理(S4415)として上記のコマンド以外の受信コマンド（例えば普通図柄変動開始コマンドや普通図柄変動停止コマンド、保留球数コマンド）に基づく処理を行って、受信コマンド解析処理を終える。
【０２６１】
［変動演出開始処理］図４８に示すように、変動演出開始処理(S4404)ではまず、演出制御用マイコン１２１は、変動開始コマンドを解析する(S4601)。変動開始コマンドには、特図１大当たり判定処理（図２３参照）や特図２大当たり判定処理（図２７参照）でセットされた特図停止図柄データの情報や、特図１変動パターン選択処理(図２４参照)や特図２変動パターン選択処理(図２８参照)でセットされた変動パターンの情報、現在の遊技状態を指定する情報等が含まれている。なお、ここで演出制御用マイコン１２１が取得した情報は、これ以降に実行する処理においても適宜利用可能なものとする。
【０２６２】
続いて、モードステータスの値を参照する(S4602)。そして、変動演出において最終的に停止表示する演出図柄ＥＺの選択を行う(S4603)。具体的には、演出図柄決定用乱数を取得するとともに、リーチの有無に応じて分類されている複数のテーブルの中から、変動開始コマンドの解析結果に基づいて一つのテーブルを選択し、その選択したテーブルを用いて、取得した演出図柄決定用乱数を判定することにより、演出図柄を選択する。これにより、最終的に停止表示される演出図柄ＥＺ１，ＥＺ２，ＥＺ３の組み合わせ（例えば「７７７」等）が決定される。
【０２６３】
本形態では、同時変動可能なパチンコ遊技機ＰＹ１である。従って、通常遊技状態（低確非時短状態）である場合には、特図１の変動表示及び停止表示に同期して、表示画面５０ａの中央部にて、演出図柄ＥＺ１、ＥＺ２、ＥＺ３（図１４（Ａ）参照）を変動表示及び停止表示させる。そしてイレギュラーな場合として、特図２が変動表示及び停止表示した場合には、表示画面５０ａの端部にて、小さい演出図柄（図示省略）を変動表示及び停止表示させることになる。
【０２６４】
また高確時短状態である場合には、特図１の変動表示及び停止表示に同期して、表示画面５０ａの中央部にて、演出図柄ＥＺ１、ＥＺ２、ＥＺ３（図１４（Ｂ）参照）を変動表示及び停止表示させる。そしてイレギュラーな場合として、特図２が変動表示及び停止表示した場合には、表示画面５０ａの端部にて、小さい演出図柄（図示省略）を変動表示及び停止表示させることになる。
【０２６５】
また、高確非時短状態である場合には、特図２の変動表示及び停止表示に同期して、表示画面５０ａの中央部にて、演出図柄ＥＺ１、ＥＺ２、ＥＺ３（図１４（Ｃ）参照）を変動表示及び停止表示させる。そしてイレギュラーな場合として、特図１が変動表示及び停止表示した場合には、表示画面５０ａの端部にて、小さい演出図柄（図示省略）を変動表示及び停止表示させることになる。ここで本形態では、高確非時短状態にて特図２の抽選で大当たりに当選した場合には、高確率状態への移行が確定しているため、演出図柄ＥＺ１、ＥＺ２、ＥＺ３は、「７７７」又は「３３３」等の確変停止態様（図１５（Ｈ）参照）で停止表示されることになる。また高確非時短状態にて特図２の抽選で小当たりに当選した場合には、演出図柄ＥＺ１、ＥＺ２、ＥＺ３は、小当たりに当選したことを示唆するために、「１３５」」等の小当たり態様（図１５（Ｆ）参照）で停止表示されることになる。
【０２６６】
また低確時短状態である場合には、特図１の変動表示及び停止表示に同期して、表示画面５０ａの中央部にて、演出図柄ＥＺ１、ＥＺ２、ＥＺ３（図１４（Ｄ）参照）を変動表示及び停止表示させる。そしてイレギュラーな場合として、特図２が変動表示及び停止表示した場合には、表示画面５０ａの端部にて、小さい演出図柄（図示省略）を変動表示及び停止表示させることになる。
【０２６７】
続いて演出制御用マイコン１２１は、変動演出パターン選択処理を実行する(S4604)。変動演出パターンが決まれば、変動演出の時間、演出図柄の変動表示態様、リーチ演出の有無、リーチ演出の内容、ＳＷ演出（演出ボタン演出）の有無、ＳＷ演出の内容、演出展開構成、演出図柄の背景の種類等からなる変動演出の内容の詳細が決まることとなる。
【０２６８】
本形態では、演出制御用マイコン１２１は、夜モード（高確時短状態）に移行してから演出図柄ＥＺの変動表示の回数をカウントする。そして、確変大当たり１又は確変大当たり４に当選したことを契機として夜モードに移行している場合には、１００回に対して、カウントした演出図柄ＥＺの変動表示の回数を減算する。その上で、減算された回数を、カウントダウン画像ＣＯを表示するための情報として、変動演出パターンに含める。一方、確変大当たり３に当選したことを契機として夜モードに移行している場合には、５０回に対して、カウントした演出図柄ＥＺの変動表示の回数を減算する。その上で、減算された回数を、カウントダウン画像ＣＯを表示するための情報として、変動演出パターンに含める。こうして、カウントダウン画像ＣＯを表示するための情報が変動演出パターンに含まれている場合には、変動演出に伴ってカウントダウン画像ＣＯ（図１５（Ｂ）（Ｃ）参照）が表示される。その結果、遊技者には高確率状態への移行の確定がカウントダウンされていく高揚感を与えることが可能である。
【０２６９】
また本形態では、演出制御用マイコン１２１は、高確非時短状態にて特図２の抽選で小当たりに当選している場合には、図１５（Ｆ）に示す打ち込み示唆画像ＭＳを表示するための変動演出パターンを選択する。これにより、高確時短状態にて小当たりに当選すれば、打ち込み示唆画像ＭＳが表示画面５０ａの右下部にて表示される。その結果、遊技者には、大入賞口１４に入球させる状況（小当たり遊技の実行により大入賞口１４が開放している状況）を把握させることが可能である。
【０２７０】
演出制御用マイコン１２１は、変動演出パターン選択処理(S4604)の後、予告演出の選択を行う(S4605)。具体的には、予告演出決定用乱数を取得するとともに、リーチの有無に応じて分類されている複数のテーブルの中から、変動開始コマンドの解析結果に基づいて一つのテーブルを選択し、その選択したテーブルを用いて、取得した予告演出決定用乱数を判定することにより、予告演出を選択する。これにより、いわゆるステップアップ予告演出やチャンスアップ予告演出などの予告演出の内容が決定される。
【０２７１】
予告演出の例としては、大当たり当選に対する期待度（当選期待度）が高いことを示す金色の枠でのセリフ予告、当選期待度が中程度であることを示す緑色の枠でのセリフ予告、当選期待度がこれらよりも低いことを示す青色の枠でのセリフ予告等が挙げられる。つまり、予告演出とは、演出図柄ＥＺによる最終的な当落報知よりも前に当選期待度を遊技者に対して示す演出である。
【０２７２】
ステップS4605に続いて、演出制御用マイコン１２１は、選択した演出図柄ＥＺと変動演出パターンと予告演出とに基づいて、変動演出を開始するための変動演出開始コマンドを演出用ＲＡＭ１２４の出力バッファにセットして(S4606)、本処理を終える。ステップS4606でセットされた変動演出開始コマンドが、コマンド送信処理(S4006)により画像制御基板１４０に送信されると、表示画面５０ａにて特別図柄の変動表示に同期した変動演出が開始される。
【０２７３】
１０．本形態の効果
以上詳細に説明したように、本形態のパチンコ遊技機ＰＹ１によれば、図１３に示すように、高確時短状態にて特図１の抽選で大当たりになると、高確率状態への移行確率は５０％であり、大当たり遊技でのラウンド数は実質８Ｒ又は９Ｒである（図８参照）。これに対して、高確時短状態から５０回又は１００回である時短回数を消化することができれば、高確非時短状態に移行することができて、高確非時短状態では特図２の抽選での大当たりが保証されている。そのため、特図２の抽選で大当たりになると、高確率状態への移行確率は１００％であり、大当たり遊技でのラウンド数は１６Ｒである。よって、高確時短状態にて時短回数を消化すると、高確率状態への移行確率が上昇すると共に、大当たり遊技でのラウンド数が増加するという特典が付与されることになり、遊技者にとって有利になる。従って遊技者には、高確時短状態において、時短回数の消化を期待させるという斬新な遊技興趣を提供することが可能である。
【０２７４】
また本形態のパチンコ遊技機ＰＹ１によれば、高確時短状態から５０回又は１００回である時短回数を消化することにより高確非時短状態に移行すると、その高確非時短状態にて大当たりに当選した場合の大当たり遊技後には、実質的に１００％の確率で高確率状態に制御されて、通常確率状態に制御されることはほぼない。従って遊技者には、時短回数の消化によって、大当たり遊技後の高確率状態への移行を確定させるという斬新な遊技興趣を提供することが可能である。
【０２７５】
また本形態のパチンコ遊技機ＰＹ１によれば、高確時短状態にて時短回数の消化によって高確非時短状態に移行すると、表示画面５０ａにて「宇宙モード突入」の文字を示す移行達成画像ＵＴ（図１５（Ｄ）参照）が表示される。更に、スピーカ６１０から「キュイーン」という特別音が出力される。これら移行達成画像ＵＴ及び「キュイーン」という特別音は、次回の大当たり遊技後の遊技状態が実質的に高確率状態に制御されることを示唆するものである。こうして、移行達成画像ＵＴ及び特別音により、時短回数の消化で高確率状態への移行を獲得できたことを遊技者に分かり易く示すことが可能である。
【０２７６】
また本形態のパチンコ遊技機ＰＹ１によれば、高確時短状態から、時短回数の消化によって非電サポ制御状態を伴う高確非時短状態に移行すると、電チュー１２Ｄに遊技球が入球し難くなる分だけ、賞球を獲得し難くなる。しかしながら、この高確非時短状態では、小当たりラッシュ状態になっているため、小当たり遊技によって開放する大入賞口１４に遊技球を入球させて、賞球を獲得することが可能である。よって、非電サポ制御状態を伴う高確非時短状態に移行しても、遊技者は持ち球を減らすことなく遊技を行うことが可能である。
【０２７７】
１１．変更例
以下、変更例について説明する。なお、変更例の説明において、上記形態（第１形態）のパチンコ遊技機ＰＹ１と同様の構成については、同じ符号を付して説明を省略する。
【０２７８】
＜第２形態＞
上記形態（第１形態）では、一旦高確率状態に制御されると次の大当たり遊技の開始まで高確率状態への制御が続くパチンコ遊技機ＰＹ１（いわゆる確変ループタイプの遊技機）として構成した。しかしながら、図４９に示す第２形態のように、高確率状態に制御された後に特別図柄の変動表示の回数が所定の上限回数（ＳＴ回数）に達すると、通常確率状態に移行するパチンコ遊技機ＰＹ１（いわゆるＳＴタイプの遊技機）として構成しても良い。
【０２７９】
第２形態では、図４９に示すように、確変大当たり１、確変大当たり２、確変大当たり３、確変大当たり４、確変大当たり５に当選した場合、大当たり遊技後に特別図柄の変動表示の回数が１６０回（ＳＴ回数）に達すると、通常確率状態（詳細には通常遊技状態）に移行するようになっている。従って上記形態（第１形態）と異なり、高確時短状態に移行した後、時短回数を消化して高確非時短状態に移行しても、次回の大当たりへの当選が必ず保証されているわけではない。
【０２８０】
例えば、通常遊技状態にて特図１の抽選で確変大当たり１に当選したこととする。そして、大当たり遊技後に高確時短状態に制御されて、高確時短状態にて時短回数である１００回を消化したこととする。この場合、高確非時短状態に制御されて、特図２の抽選が実行されることになるが、高確非時短状態に移行した時点でＳＴ回数が残り６０回になっている。従って、この６０回であるＳＴ回数が消化されるまでに、特図２の抽選で大当たりに当選できれば次回の高確率状態への移行を獲得できる。その一方で、６０回であるＳＴ回数が消化されるまでに、特図２の抽選で大当たりに当選できなければ通常遊技状態に移行（転落）してしまう。
【０２８１】
よって、第２形態では、高確時短状態にて時短回数を消化しても、その時点で高確率状態への移行が確定しているわけではなく、更にＳＴ回数を消化するまでに大当たりへの当選を条件に、高確率状態への移行が確定することになる。従って、時短回数を消化した後に緊迫感のある遊技興趣を提供することが可能である。なお高確非時短状態では、大当たりに早く当選しないほど小当たりラッシュ状態が長く続く。その一方で、大当たりに早く当選しないとＳＴ回数が消化されていく。よって第２形態において、遊技者にとっては、小当たりラッシュ状態をできるだけ長く継続させつつ、ＳＴ回数が消化する前に大当たりに当選したいという斬新な遊技興趣を提供することが可能である。
【０２８２】
＜その他の変形例＞
上記各形態では、高確非時短状態では、特図２の抽選で頻繁に小当たりに当選して、小当たりラッシュ状態になるようにした。しかしながら、高確非時短状態では、特図２の抽選で小当たりに当選せずに、小当たりラッシュ状態にならないようにしても良い。この場合、高確非時短状態では、遊技者が持ち球を大きく減らすおそれがある。そこで、電チュー１２Ｄに入球しなかった遊技球が一般入賞口１０に頻繁に入球できるように当該一般入賞口１０を配置すると良い。これにより、非電サポ制御状態を伴う高確非時短状態であっても、遊技者が持ち球を大きく減らすことなく遊技できるためである。
【０２８３】
また上記各形態では、時短回数の消化によって高確非時短状態に移行すると、高確率状態に制御されることの示唆（高確率状態示唆）として、表示画面５０ａに「宇宙モード突入」の文字を示す移行達成画像ＵＴを表示すると共に、スピーカ６１０（音出力手段）から「キュイーン」という特別音を出力した。しかしながら、高確率状態示唆は、上記した演出態様に限られるものではなく、適宜変更可能である。例えば、表示画面５０ａに特別なエフェクト画像やレインボー画像を表示したり、枠ランプ２１２や盤ランプ５４等の発光手段を用いて特別な発光態様で発光させるようにしても良い。
【０２８４】
また上記各形態では、時短回数が消化することにより高確非時短状態に移行した後に大当たりと判定された場合には、大当たり遊技後に実質的に高確率状態に制御して、実質的に通常確率状態に制御されることがないようにした。しかしながら、大当たり遊技後に通常確率状態に制御されることがあり得るようにしても良い。但しこの場合には、高確非時短状態で大当たりに当選したときに高確率状態に移行できる確率（振分率）が、高確時短状態で大当たりに当選したときに高確率状態に移行できる確率（振分率）よりも高くなるように設定されていると良い。高確時短状態にて時短回数を消化すると遊技者に特典を付与するというゲーム性を提供できるからである。
【０２８５】
また上記各形態では、図８に示すように、時短回数（所定の上限回数）が５０、１００回、１００００回に設定されるようにした。しかしながら、時短回数は上記した回数に限られるものではなく、適宜変更可能である。また上記第２形態では、ＳＴ回数が１６０回に設定されるようにした。しかしながら、ＳＴ回数は上記した回数に限られるものではなく、適宜可能である。但し、ＳＴ回数は、設定される時短回数の少なくとも１つよりも多いと良い。時短回数が消化された後に、残っているＳＴ回数分だけ高確率状態が継続することになり、この間に大当たりを引き当てることができるか否かというゲーム性を担保できるからである。
【０２８６】
また上記各形態では、高確時短状態にて特図１の抽選で大当たりに当選した場合の高確率状態への移行確率が５０％であり、高確非時短状態にて特図２の抽選で大当たりになった場合の高確率状態への移行確率が１００％であるように設定した。しかしながら、上記した高確率状態への移行確率は、適宜変更可能である。但し、高確非時短状態にて特図２の抽選で大当たりになった場合の高確率状態への移行確率が、高確時短状態にて特図１の抽選で大当たりになった場合の高確率状態への移行確率よりも高くなるように設定すると良い。高確時短状態にて時短回数を消化すると、高確率状態への移行確率が上昇するという特典を付与することができるからである。
【０２８７】
また上記各形態では、特図１の抽選で大当たりに当選した場合の大当たり遊技のラウンド数は、実質８Ｒ又は実質９Ｒであり、特図２の抽選で大当たりに当選した場合の大当たり遊技のラウンド数は、実質１６Ｒであった。しかしながら、大当たり遊技でのラウンド数（実質のラウンド数）は、適宜変更可能である。但し、特図２の抽選で大当たりに当選した場合の大当たり遊技のラウンド数は、特図１の抽選で大当たりに当選した場合の大当たり遊技のラウンド数よりも多くなり易いように設定されると良い。高確時短状態にて時短回数を消化すると、より多いラウンド数である大当たり遊技が実行され易いという特典を付与することができるからである。
【０２８８】
また上記各形態では、高確非時短状態にて大当たりに当選した場合には、高確時短状態にて大当たりに当選した場合よりも、高確率状態への移行確率が高いと共に、ラウンド数が多い大当たり遊技が実行されるようにした。しかしながら、高確率状態への移行確率や大当たり遊技でのラウンド数以外の方法で、遊技者にとって有利になるようにしても良い。例えば、大当たり確率に対応する設定値が設定されている遊技機において、高確非時短状態にて大当たりに当選した場合には、高確時短状態にて大当たりに当選した場合よりも、設定されている設定値を示唆する設定示唆演出が実行され易いようにしても良い。
【０２８９】
また上記各形態では、第２流路Ｒ２上に第３始動口２０を設けて、第３始動口２０への入球に基づく小当たりへの当選によって、小当たりラッシュ状態を作り出していた。しかしながら、第３始動口２０に替えて、遊技球が入球可能な役物作動口を設ける。そして、役物作動口への入球によって抽選を行うことなく小当たり遊技が実行されるようにすることで、小当たりラッシュ状態を作り出すようにしても良い。
【０２９０】
また上記各形態では、右遊技領域６Ｒに設けられた第２流路Ｒ２（特定流路）に、ゲート１３と、第２始動口１２と、電チュー開閉部材１２ｋ（電チュー１２Ｄ）と、大入賞口１４と、第３始動口２０とを配置した。しかしながら、これらゲート１３と、第２始動口１２と、電チュー開閉部材１２ｋと、大入賞口１４と、第３始動口２０の配置は適宜変更可能であり、ゲート１３と、第２始動口１２と、電チュー開閉部材１２ｋと、大入賞口１４と、第３始動口２０の全部、又はそれらの一部を、左遊技領域６Ｌの第１流路Ｒ１に配置しても良い。
【０２９１】
また上記各形態では、特図２の抽選で小当たりに当選することがある一方、特図１の抽選で小当たりに当選することがないように設定した。しかしながら、特図１の抽選でも小当たりに当選することがあるようにしても良い。或いは、特図１の抽選でのみ小当たりに当選することがあるようにしても良い。また図１０（Ａ）に示すように、小当たりに当選する確率を約２分の１に設定したが、２分の１以下又は２分の１以上に（例えば大当たりへの当選を除いて１００％小当たりに当選するように）設定しても良く、適宜変更可能である。
【０２９２】
また上記各形態では、大入賞口１４が１つだけ設けられていた。しかしながら、第１大入賞口と第２大入賞口という２つの大入賞口を設けるようにしても良い。この場合、大当たり遊技によって第１大入賞口を開放し、小当たり遊技によって第２大入賞口を開放するようにしても良い。或いは、大当たり遊技では、ラウンドによって第１大入賞口の開放と第２大入賞口の開放とを切替えるようにしても良い。また第１大入賞口と第２大入賞口とを設ける場合、何れか一方に特定領域１６を設けるようにすれば良い。
【０２９３】
また上記各形態では、大入賞口１４内への特定領域１６への通過に基づいて、高確率状態に制御する遊技機（所謂Ｖ確機）として構成した。しかしながら、当選した大当たり（大当たり図柄）の種類でのみ高確率状態への移行が決定される遊技機として構成したり、当選した大当たりの種類と当選時の遊技状態とに基づいて高確率状態への移行が決定される遊技機として構成しても良い。
【０２９４】
また上記各形態では、図８又は図４９に示すように、大当たりの種類（大当たり図柄の種類）を設けた。しかしながら、図８又は図４９に示す大当たりの種類はあくまで一例であって、適宜変更可能である。
【０２９５】
また上記形態では、小当たり遊技における大入賞口１４の開放時間を１．６秒とした。しかしながら、少なくとも１球の入賞が可能な時間であれば、適宜変更可能である。但し意図しない量の賞球がなされないように、大入賞口１４の総開放時間を１．８秒以下としておくことが望ましい。
【０２９６】
また上記各形態では、第１始動口１１又は第２始動口１２或いは第３始動口２０への入球に基づいて取得する乱数（判定情報）として、大当たり乱数等の４つの乱数を取得することとしたが、一つの乱数を取得してその乱数に基づいて、大当たりか否か、大当たりの種別、リーチの有無、及び変動パターンの種類を決めるようにしてもよい。すなわち、始動入賞に基づいて取得する乱数の個数および各乱数において何を決定するようにするかは任意に設定可能である。
【０２９７】
また上記各形態では、特図１の変動表示中であっても特図２の変動表示を実行でき、且つ、特図２の変動表示中であっても特図１の変動表示を実行できるように構成した。つまり、所謂同時変動を行う遊技機として構成した。しかしながら一方の特図の変動表示中には他方の特図の変動表示を実行できないようにして、一方の特図の変動表示を他方の特図の変動表示に優先して実行するように構成しても良い。或いは、一方の特図の変動表示中には他方の特図の変動表示を実行できないようにして、特図２の変動と特図１の変動を始動口への入賞順序に従って実行するように構成してもよい。この場合、第１特図保留と第２特図保留とを合算して記憶可能な記憶領域を遊技用ＲＡＭ１０４に設け、その記憶領域に入賞順序に従って判定情報を記憶し、記憶順の古いものから消化するように構成すればよい。また、いわゆる１種２種混合機や、転落機、ハネモノタイプの遊技機として構成してもよい。すなわち、本発明は、遊技機のゲーム性を問わず、種々のゲーム性の遊技機に対して好適に採用することが可能である。なお上記各形態の特徴及び変形例の特徴をそれぞれ組合せて実施することは勿論可能である。
【０２９８】
また上記各形態において、第１特図保留又は第２特図保留があって、同じ種類の特別図柄が変動表示中ではなく、且つ大当たり遊技又は小当たり遊技の実行中でない場合には、「所定の判定条件が成立」していることとして、大当たり判定処理（特図１大当たり判定処理(S1202)又は特図２大当たり判定処理(S1502)、判定処理）を実行可能である。
【０２９９】
本発明における「特別遊技後（大当たり遊技）後の遊技状態を実質的に高確率状態に制御して、特別遊技後の遊技状態を実質的に通常確率状態に制御することがない」とは、特定領域１６への遊技球の通過に基づいて大当たり遊技後に高確率状態に制御される遊技機（Ｖ確機）において、遊技者が通常通りに遊技を行っていれば、大当たり遊技中に特定領域１６へ遊技球を通過させることができて、大当たり遊技後に高確率状態に制御されることを意味する。即ち、イレギュラーな場合として、大当たり遊技中に特定領域１６へ遊技球を通過させることができなくて、大当たり遊技後に通常確率状態に制御されることまでを意味したものではない。
【０３００】
１２．上記した実施の形態に示されている発明
上記した実施の形態には、以下の各手段の発明が示されている。以下に記す手段の説明では、上記した実施の形態における対応する構成名や表現、図面に使用した符号を参考のためにかっこ書きで付記している。但し、各発明の構成要素はこの付記に限定されるものではない。
【０３０１】
＜手段Ａ＞
手段Ａ１に係る発明は、
所定の判定条件の成立に基づいて判定処理（大当たり判定処理（特図１大当たり判定処理(S1202)又は特図２大当たり判定処理(S1502)）を行うと、当該判定処理の結果を示す識別図柄（特別図柄）を変動表示させることが可能な遊技制御手段（遊技制御用マイコン１０１）を備える遊技機（パチンコ遊技機ＰＹ１）において、
前記遊技制御手段は、
非時短状態よりも前記識別図柄の変動表示の時間が短くなり易い時短状態に制御可能であり、
前記時短状態に制御されてから前記識別図柄の変動表示の回数が所定の上限回数（時短回数）に達すると、前記非時短状態に制御可能であり、
前記時短状態にて前記判定処理で大当たりと判定された場合よりも、前記識別図柄の変動表示の回数が所定の上限回数に達することにより前記非時短状態に移行した後に前記判定処理で大当たりと判定された場合の方が、遊技者にとって有利にし易い（図８、図１３参照）ことを特徴とする遊技機である。
【０３０２】
この構成の遊技機によれば、時短状態にて大当たりになるよりも、その時短状態から識別図柄の変動表示が所定の上限回数に達すること（時短回数消化）により移行した非時短状態にて大当たりになった方が、遊技者にとって有利になり易い。従って遊技者には、時短状態において、時短回数消化を期待させるという斬新な遊技興趣を提供することが可能である。
【０３０３】
手段Ａ２に係る発明は、
手段Ａ１に記載の遊技機において、
前記遊技制御手段は、
前記判定処理により大当たりと判定されると、遊技者に有利な特別遊技（大当たり遊技）を実行可能であり、
通常確率状態よりも前記判定処理により大当たりと判定される確率が高い高確率状態に制御可能であり、
前記時短状態にて前記判定処理で大当たりと判定された場合よりも、前記識別図柄の変動表示の回数が所定の上限回数に達することにより前記非時短状態に移行した後に前記判定処理で大当たりと判定された場合の方が、前記特別遊技後に前記高確率状態に制御し易い（図８、図１３参照）ことを特徴とする遊技機である。
【０３０４】
この構成の遊技機によれば、時短状態にて大当たりになるよりも、時短回数消化により移行した非時短状態にて大当たりになった方が、特別遊技後に高確率状態に制御され易い。従って遊技者には、時短回数消化によって高確率状態への移行のし易さが上昇するという斬新な遊技興趣を提供することが可能である。
【０３０５】
手段Ａ３に係る発明は、
手段Ａ２に記載の遊技機において、
前記遊技制御手段は、
前記識別図柄の変動表示の回数が所定の上限回数に達することにより前記非時短状態に移行した後に前記判定処理で大当たりと判定された場合には、前記特別遊技後の遊技状態を実質的に前記高確率状態に制御して、実質的に前記通常確率状態に制御することがない（図８、図１３参照）ことを特徴とする遊技機である。
【０３０６】
この構成の遊技機によれば、時短回数消化により移行した非時短状態にて大当たりになると、特別遊技後の遊技状態が実質的に高確率状態に制御されて、実質的に通常確率状態に制御されることがない。従って遊技者には、時短回数消化によって、特別遊技後の高確率状態への移行を確定させることができるという斬新な遊技興趣を提供することが可能である。
【０３０７】
手段Ａ４に係る発明は、
手段Ａ３に記載の遊技機において、
演出を制御可能な演出制御手段（演出制御用マイコン１２１）を備え、
前記演出制御手段は、
前記識別図柄の変動表示の回数が所定の上限回数に達することにより前記非時短状態に移行した場合には、前記特別遊技後の遊技状態が実質的に前記高確率状態に制御されることを示唆する高確率状態示唆（移行達成画像ＵＴの表示、特別音の出力、図１５（Ｄ）参照）を実行可能であることを特徴とする遊技機である。
【０３０８】
この構成の遊技機によれば、時短回数消化により非時短状態に移行すると、次回の特別遊技後の遊技状態が実質的に高確率状態に制御されることを示唆する高確率状態示唆が実行される。こうして、時短回数消化で高確率状態への移行を獲得できたことを遊技者に分かり易く示すことが可能である。
【０３０９】
手段Ａ５に係る発明は、
手段Ａ１乃至手段Ａ４の何れかに記載の遊技機において、
入球口（第２始動口１２）と特別入賞口（大入賞口１４）とを備え、
前記遊技制御手段は、
前記判定処理で小当たりと判定すると、前記特別入賞口を開放させる小当たり遊技を実行可能であり、
非入球容易状態（非電サポ制御状態）よりも前記入球口に遊技球が入球し易い入球容易状態（電サポ制御状態）に制御可能であり、
前記識別図柄の変動表示の回数が所定の上限回数に達することにより前記非入球容易状態を伴う前記非時短状態に移行した場合には、通常遊技状態よりも前記小当たり遊技にて前記特別入賞口に入賞し易い小当たり入賞容易状態（小当たりラッシュ状態）にすることを特徴とする遊技機である。
【０３１０】
この構成の遊技機によれば、時短回数消化により非入球容易状態を伴う非時短状態に移行すると、入球口に遊技球が入球し難くなる分だけ、賞球を獲得し難くなる。しかしながら、このときの非時短状態では、小当たり入賞容易状態であるため、小当たり遊技によって開放する特別入賞口に遊技球を入球させて、賞球を獲得することが可能である。よって、非入球容易状態を伴う非時短状態に移行しても、遊技者は持ち球を減らすことなく遊技を行うことが可能である。
【０３１１】
ところで、特開２０１６−０１６０３４号公報に記載の遊技機では、時短状態にて判定処理で大当たりになった方が、非時短状態にて判定処理で大当たりになる場合よりも、遊技者にとって有利になり易いようなゲーム性になっている。従って遊技者には、時短状態にて識別図柄（特別図柄）の変動表示の回数が所定の上限回数に達する前に、大当たりへの当選を期待させることになる。しかしながら、時短状態では識別図柄の変動表示が実行される度に遊技者に焦燥感を与えることになり、このようなゲーム性には改善の余地があった。そこで上記したＡ１〜Ａ５に係る発明は、特開２０１６−０１６０３４号公報に記載の遊技機に対して、遊技制御手段は、時短状態にて判定処理で大当たりと判定された場合よりも、識別図柄の変動表示の回数が所定の上限回数に達することにより非時短状態に移行した後に判定処理で大当たりと判定された場合の方が、遊技者にとって有利にし易い点で相違している。これにより、斬新な遊技興趣を提供するという課題を解決（作用効果を奏する）ことが可能である。
【符号の説明】
【０３１２】
ＰＹ１…パチンコ遊技機
６…遊技領域
１１…第１始動口
１２…第２始動口
１４…大入賞口
２０…第３始動口
５０…画像表示装置
５０ａ…表示画面
１０１…遊技制御用マイコン
１２１…演出制御用マイコン
Ｒ１…第１流路
Ｒ２…第２流路
【図１】
2020092799.tif 000003
【図２】
2020092799.tif 000004
【図３】
2020092799.tif 000005
【図４】
2020092799.tif 000006
【図５】
2020092799.tif 000007
【図６】
2020092799.tif 000008
【図７】
2020092799.tif 000009
【図８】
2020092799.tif 000010
【図９】
2020092799.tif 000011
【図１０】
2020092799.tif 000012
【図１１】
2020092799.tif 000013
【図１２】
2020092799.tif 000014
【図１３】
2020092799.tif 000015
【図１４】
2020092799.tif 000016
【図１５】
2020092799.tif 000017
【図１６】
2020092799.tif 000018
【図１７】
2020092799.tif 000019
【図１８】
2020092799.tif 000020
【図１９】
2020092799.tif 000021
【図２０】
2020092799.tif 000022
【図２１】
2020092799.tif 000023
【図２２】
2020092799.tif 000024
【図２３】
2020092799.tif 000025
【図２４】
2020092799.tif 000026
【図２５】
2020092799.tif 000027
【図２６】
2020092799.tif 000028
【図２７】
2020092799.tif 000029
【図２８】
2020092799.tif 000030
【図２９】
2020092799.tif 000031
【図３０】
2020092799.tif 000032
【図３１】
2020092799.tif 000033
【図３２】
2020092799.tif 000034
【図３３】
2020092799.tif 000035
【図３４】
2020092799.tif 000036
【図３５】
2020092799.tif 000037
【図３６】
2020092799.tif 000038
【図３７】
2020092799.tif 000039
【図３８】
2020092799.tif 000040
【図３９】
2020092799.tif 000041
【図４０】
2020092799.tif 000042
【図４１】
2020092799.tif 000043
【図４２】
2020092799.tif 000044
【図４３】
2020092799.tif 000045
【図４４】
2020092799.tif 000046
【図４５】
2020092799.tif 000047
【図４６】
2020092799.tif 000048
【図４７】
2020092799.tif 000049
【図４８】
2020092799.tif 000050
【図４９】
2020092799.tif 000051